(57)【要約】【課題】多様なパネル配置を可能とした電子機器を提供する。【解決手段】本発明の電子機器（１００）は、第１のパネル（１１）と、第１のパネル（１１）の第１の辺に設けられた第１のヒンジ部（２１）を介して第１のパネル（１１）に連結された第２のパネル（１２）と、第１のパネル（１１）の第１の辺と隣り合う第２の辺に設けられた第２のヒンジ部（２２）を介して第１のパネル（１１）に連結された第３のパネル（１３）と、を有する。【選択図】図１
2013200852.tif 000002
【特許請求の範囲】
【請求項１】
第１のパネルと、
前記第１のパネルの第１の辺に設けられた第１のヒンジ部を介して前記第１のパネルに連結された第２のパネルと、
前記第１のパネルの前記第１の辺と隣り合う第２の辺に設けられた第２のヒンジ部を介して前記第１のパネルに連結された第３のパネルと、
を有する電子機器。
【請求項２】
前記第１のパネルの外周に沿って前記第２のパネルを回転させる回転機構を有する、請求項１に記載の電子機器。
【請求項３】
前記回転機構は、前記第１のパネルの平面視における中心位置に回転軸を有する、請求項２に記載の電子機器。
【請求項４】
前記第１のヒンジ部の回転範囲が２７０°以上である、請求項２に記載の電子機器。
【請求項５】
前記第１のヒンジ部を、回転方向の所定角度毎に移動規制する移動規制部を有する、請求項２から４のいずれか１項に記載の電子機器。
【請求項６】
前記第１のヒンジ部は、
前記第１のパネルに接続された第１の接続体と、
前記第１の接続体に第１の軸部材を介して連結された第２の接続体と、
前記第２の接続体に第２の軸部材を介して連結された第３の接続体と、
前記第３の接続体に第３の軸部材を介して連結されるとともに前記第２のパネルに連結された第４の接続体と、
を有し、
前記第１の軸部材、前記第２の軸部材、及び前記第３の軸部材は、前記第１のヒンジ部の回転接線方向に沿って配置された回転軸を有する、
請求項１から５のいずれか１項に記載の電子機器。
【請求項７】
前記第２の接続体は、前記第１の接続体に対して前記第１の接続体の長さ方向に移動可能に連結されており、
前記第３の接続体は、前記第４の接続体に対して前記第４の接続体の長さ方向に移動可能に連結されている、
請求項６に記載の電子機器。
【請求項８】
前記第２の接続体を前記第１の接続体と反対側へ進出させ、前記第３の接続体を前記第４の接続体と反対側に進出させた状態において、前記第２の接続体と前記第３の接続体が折り畳み可能である、請求項７に記載の電子機器。
【請求項９】
前記第１から第３のパネルがいずれも表示パネルである、請求項１から８のいずれか１項に記載の電子機器。
【請求項１０】
前記第１から第３のパネルは、同一寸法の正方形状の表示部を有する、請求項９に記載の電子機器。
【発明の詳細な説明】
【技術分野】
【０００１】
本発明は、電子機器に関するものである。
【背景技術】
【０００２】
複数のディスプレイをヒンジで接続し、種々の配置形態を可能としたマルチパネルデバイスが知られている（特許文献１参照）。
【先行技術文献】
【特許文献】
【０００３】
【特許文献１】特表２０１２−５０２３２１号公報
【発明の概要】
【発明が解決しようとする課題】
【０００４】
しかし、特許文献１記載のマルチパネルデバイスでは、ヒンジの軸回りに個々のパネルを揺動させる動作のみが可能であった。そのために、パネルの配置形態のバリエーションが制限されていた。
【０００５】
本発明は、上記従来技術の問題点に鑑み成されたものであって、多様なパネル配置を可能とした電子機器を提供することを目的の一つとする。
【課題を解決するための手段】
【０００６】
第１の態様は、第１のパネルと、前記第１のパネルの第１の辺に設けられた第１のヒンジ部を介して前記第１のパネルに連結された第２のパネルと、前記第１のパネルの前記第１の辺と隣り合う第２の辺に設けられた第２のヒンジ部を介して前記第１のパネルに連結された第３のパネルと、を有する電子機器である。
【発明の効果】
【０００７】
本発明によれば、多様なパネル配置が可能な電子機器が提供される。
【図面の簡単な説明】
【０００８】
【図１】電子機器の一実施の形態を示す斜視図。
【図２】図１に示す電子機器の分解斜視図。
【図３】電子機器を構成する第１のパネルの平面図及び側面図。
【図４】直列配置の状態からパネルを折り畳む過程を示した説明図。
【図５】直列配置の状態からパネルを折り畳む過程を示した説明図。
【図６】直列配置の状態からパネルを折り畳む過程を示した説明図。
【図７】直列配置の状態からパネルを折り畳む過程を示した説明図。
【図８】直列配置の状態からパネルを折り畳む過程を示した説明図。
【図９】直列配置の状態からパネルを折り畳む過程を示した説明図。
【図１０】直列配置の状態からパネルを折り畳む過程を示した説明図。
【図１１】直列配置から三面直交配置へ移行する過程を示した説明図。
【図１２】直列配置から三面直交配置へ移行する過程を示した説明図。
【図１３】直列配置から三面直交配置へ移行する過程を示した説明図。
【図１４】直列配置から三面直交配置へ移行する過程を示した説明図。
【図１５】三面直交配置における電子機器の四面図。
【図１６】実施形態の電子機器における階段配置を示した斜視図。
【図１７】実施形態の電子機器における立体段差配置を示した斜視図。
【図１８】実施形態の電子機器における第１の三角柱配置を示した斜視図。
【図１９】実施形態の電子機器における第２の三角柱配置を示した斜視図。
【図２０】実施形態の電子機器における他の配置を示した斜視図。
【図２１】実施形態の電子機器の構成を示す構成図。
【図２２】実施形態の電子機器による撮像方法１を示した説明図。
【図２３】実施形態の電子機器による撮像方法２を示した説明図。
【図２４】実施形態の電子機器による撮像方法３を示した説明図。
【図２５】実施形態の電子機器による撮像方法３に対応する表示方法を示した説明図。
【図２６】実施形態の電子機器による撮像方法４を示した説明図。
【図２７】実施形態の電子機器による撮像方法４に対応する表示方法を示した説明図。
【図２８】実施形態の電子機器による撮像方法５を示した説明図。
【図２９】実施形態の電子機器によるシャッターボタンの表示位置を示す説明図。
【図３０】実施形態の電子機器によるシャッターボタンの表示位置を示す説明図。
【図３１】実施形態の電子機器による制御部の構成図。
【図３２】実施形態の電子機器による記憶部の構成図。
【図３３】実施形態の電子機器による撮像動作を示すフローチャート。
【図３４】実施形態の電子機器による表示動作を示すフローチャート。
【図３５】実施形態の電子機器による撮像動作を示すフローチャート。
【図３６】実施形態の電子機器による分類モードを示した説明図その１。
【図３７】実施形態の電子機器による分類モードを示した説明図その２。
【図３８】実施形態の電子機器による分類モードを示した説明図その３。
【図３９】実施形態の電子機器による分類モードを示した説明図その４。
【図４０】実施形態の電子機器による分類モードを示した説明図その５。
【図４１】実施形態の電子機器による分類モードを示した説明図その６。
【図４２】実施形態の分類モードの処理の第１例を示すフローチャート。
【図４３】実施形態の分類モードの処理の第２例を示すフローチャート。
【図４４】実施形態の電子機器による分類モードを示した説明図その７。
【図４５】実施形態の電子機器による分類モードを示した説明図その８。
【図４６】実施形態の電子機器による分類モードを示した説明図その９。
【図４７】実施形態の電子機器による分類モードを示した説明図その１０。
【図４８】実施形態の分類モードの処理の第３例を示すフローチャート。
【図４９】実施形態の電子機器による分類モードを示した説明図その１１。
【図５０】実施形態の電子機器による分類モードを示した説明図その１２。
【図５１】実施形態の電子機器による立体表示を示した説明図その１。
【図５２】実施形態の電子機器による立体表示を示した説明図その２。
【図５３】実施形態の電子機器による立体表示を示した説明図その３。
【図５４】実施形態の電子機器による立体表示を示した説明図その４。
【図５５】実施形態の電子機器による立体表示を示した説明図その５。
【図５６】実施形態の電子機器による立体表示を示した説明図その６。
【図５７】実施形態の電子機器による立体表示を示した説明図その７。
【図５８】実施形態の電子機器による立体表示を示した説明図その８。
【図５９】実施形態の電子機器による立体表示を示した説明図その９。
【図６０】実施形態の電子機器による立体表示を示した説明図その１０。
【図６１】実施形態の電子機器の制御部の構成を示す構成図。
【図６２】実施形態の電子機器による立体表示を示した説明図その１１。
【図６３】実施形態の電子機器による立体表示を示した説明図その１２。
【図６４】実施形態の電子機器による立体表示を示した説明図その１３。
【図６５】実施形態の電子機器による立体表示を示した説明図その１４。
【図６６】実施形態の電子機器による立体表示を示した説明図その１５。
【図６７】実施形態の立体視表示モードの処理の一例を示すフローチャート。
【図６８】実施形態のアクセサリを説明する図。
【発明を実施するための形態】
【０００９】
以下、本発明の実施形態について図面を参照しながら説明するが、本発明はこれに限定されない。以下の説明においては、必要に応じてＸＹＺ直交座標系を設定し、このＸＹＺ直交座標系を参照しつつ各部の位置関係について説明する。水平面内の所定方向をＸ軸方向、水平面内においてＸ軸方向と直交する方向をＹ軸方向、Ｘ軸方向及びＹ軸方向のそれぞれと直交する方向（すなわち鉛直方向）をＺ軸方向とする。また、Ｘ軸、Ｙ軸、及びＺ軸まわりの回転（傾斜）方向をそれぞれ、θＸ、θＹ、及びθＺ方向とする。
【００１０】
図１は、電子機器の一実施の形態を示す斜視図である。図２は、図１に示す電子機器の分解斜視図である。図３は、電子機器を構成する第１のパネルの平面図及び側面図である。
【００１１】
本実施形態の電子機器１００は、図１に示すように、第１のパネル１１と、第２のパネル１２と、第３のパネル１３と、第１のヒンジ部２１と、第２のヒンジ部２２と、を有する。第１のヒンジ部２１を介して第１のパネル１１と第２のパネル１２とが連結されている。第２のヒンジ部２２を介して第１のパネル１１と第３のパネル１３とが連結されている。
【００１２】
本実施形態では、第１のパネル１１の表示面と平行な面にＸＹ平面を設定する。また図１に示すように３枚のパネル１１〜１３を直線状に配列したときのパネル配列方向をＸ軸方向とし、このＸ軸方向に直交する方向をＹ軸方向とする。そして、第１のパネル１１の厚さ方向をＺ軸方向とする。
【００１３】
第１のパネル１１は、平面視で正方形状の表示面１１ａ（図３参照）を有する板状の表示パネルである。第１のパネル１１は、筐体１０１と、筐体１０１内に収容された液晶表示装置や有機ＥＬ表示装置等の表示デバイス（図示略）と、を有する。上記表示デバイスの表示は表示面１１ａを介してユーザーに視認される。表示面１１ａにはタッチパネル等の入力デバイスが設けられていてもよい。
【００１４】
本実施形態において、第１のパネル１１、第２のパネル１２、及び第３のパネル１３はその基本構成において共通する。第１のパネル１１と第１のヒンジ部２１とからなるユニットと、第３のパネル１３と第２のヒンジ部２２とからなるユニットは、同一の構成を具備したものである。第２のパネル１２は、第１のパネル１１から回転機構３１を取り外し、キャップ部材１３８を取り付けたものである。したがって、以下の説明において特に断りのない限り、第２のパネル１２及び第３のパネル１３は、第１のパネル１１の構成要素を具備しているものとする。
【００１５】
第１のパネル１１の背面（表示面１１ａと反対側の面）１１ｂには回転機構３１が設けられている。回転機構３１には第１のヒンジ部２１の一方の端部が接続されている。回転機構３１は背面１１ｂの平面視における中心位置に設けられている。回転機構３１は第１のパネル１１の厚さ方向（Ｚ軸方向）に平行な回転軸を有する。第１のヒンジ部２１は回転機構３１により表示面１１ａに概ね平行な面に沿って回転可能である。
【００１６】
第１のパネル１１の背面１１ｂには、筐体１０１の四辺のうちの三辺に沿う位置に、第１のヒンジ部２１を所定角度位置で位置決めするための突起部１１１〜１１６が設けられている。なお、図１及び図２では第１のヒンジ部２１に隠れているが、筐体１０１の第２のパネル１２側の辺１０１ａには、突起部１１３と対になる突起部１１４（図１１参照）も設けられている。上記の突起部が設けられていない第３のパネル１３側の辺１０１ｂは、第２のヒンジ部２２との接続構造が設けられている。図２に示すように、上記第３のパネル１３側の辺には、第２のヒンジ部２２に設けられた鉤型の固定部材（図示略）が係止される係止部１１８が設けられている。
【００１７】
また回転機構３１の第３のパネル１３側の縁部に、第２のヒンジ部２２との接続部１１９が設けられている。本実施形態の場合、接続部１１９は台座状である。接続部１１９には、第２のヒンジ部２２をねじ止めするための２つのねじ孔１１９ａが設けられている。
【００１８】
第１のパネル１１には、回転機構３１を介して第１のヒンジ部２１が接続されている。第１のヒンジ部２１は、回転機構３１との接続部となる第１の接続体１２１と、第１の接続体１２１の先端側に順に接続された第２の接続体１２２、第３の接続体１２３、及び第４の接続体１２４と、を備えている。
【００１９】
第１の接続体１２１は、円盤状の第１部材１２１ａと、この第１部材１２１ａの径方向外周側へ延びるようにして設けられた概略トレイ状の第２部材１２１ｂとを有する。図３に示すように、円盤状の第１部材１２１ａの背面中央部（筐体１０１側の面の中央部）には、回転機構３１の回転軸１３２が、平面視矩形状の固定部材１３１を用いて固着されている。第２部材１２１ｂの長さ方向（図１のＸ軸方向）に延びる２本の側壁部には、その長さ方向に沿って延びるスリットがそれぞれ形成されている。
【００２０】
第２部材１２１ｂの上記２本のスリット同士の間に、第１の軸部材１２５が架け渡されている。第１の軸部材１２５は、回転機構３１による第１のヒンジ部２１の回転接線方向（図１に示すＹ軸方向）に沿って配置されている。第１の軸部材１２５には、平面視板状の第２の接続体１２２の一方の端部が軸支されている。第２の接続体１２２は、概略トレイ状の第２部材１２１ｂの側壁で囲まれた位置に配置される。第２の接続体１２２は第１の軸部材１２５の軸回りに揺動可能である。
【００２１】
第２の接続体１２２の第１の軸部材１２５と反対側（図１の＋Ｘ側）の端部には、第２の軸部材１２６が挿通されている。第２の軸部材１２６は第１の軸部材１２５と平行に配置されている。第２の軸部材１２６には、第２の接続体１２２とほぼ同様の構成を備えた平面視板状の第３の接続体１２３の一方の端部が軸支されている。
【００２２】
第３の接続体１２３の他方の端部（図１の＋Ｘ側の端部）には、第３の軸部材１２７が挿通されている。第３の軸部材１２７は、第２の軸部材１２６と平行に配置されている。第３の軸部材１２７を介して、第３の接続体１２３の先端側に、第４の接続体１２４が接続されている。
【００２３】
第４の接続体１２４は概略トレイ状の部材である。第４の接続体１２４の長さ方向（図１のＸ軸方向）に延びる２つの側壁部材１２４ａには、それらの長さ方向に沿ってスリットが形成されている。第３の軸部材１２７は上記２本のスリットに挿通され、側壁部材１２４ａ、１２４ａ間に架け渡されている。第４の接続体１２４にはねじ止め用の貫通孔が設けられている。第４の接続体１２４は、２本のねじ１２９により、第２のパネル１２の接続部１１９に固定される。
なお、第４の接続体１２４の裏面側（図１の＋Ｚ側）には、鉤型の固定部材が形成されており、この固定部材が、第２のパネル１２の係止部１１８に係止される。
【００２４】
第１のヒンジ部２１は、４つの接続体１２１〜１２４を、３つの軸部材１２５〜１２７を介して連結したものである。各々の接続体１２１〜１２４は、それらの連結部に設けられた軸部材１２５〜１２７の軸回りに相対的に揺動可能である。
【００２５】
また、第１の接続体１２１の第２部材１２１ｂに設けられたスリット内で第１の軸部材１２５を移動させることで、第２の接続体１２２を、第１の接続体１２１に対して進退させることができる。また第４の接続体１２４の側壁部材１２４ａに設けられたスリット内で第３の軸部材１２７を移動させることで、第３の接続体１２３を、第４の接続体１２４に対して進退させることができる。
【００２６】
回転機構３１は、図３に示すように、第１の接続体１２１に連結された回転軸１３２と、筐体１０１の背面１１ｂ中央に設けられた軸受部材１３４と、を有する。また本実施形態の場合、回転軸１３２の周囲にコイルバネ１３３が巻回されている。コイルバネ１３３は、軸受部材１３４よりも筐体１０１の内側に設けられている。コイルバネ１３３により、第１の接続体１２１は図示下方（−Ｚ方向）へ付勢される。
【００２７】
なお、図３（ａ）では、構造を分かりやすくするために第１の接続体１２１をやや上方に引き上げた状態で表示している。図３に示す位置に第１のヒンジ部２１が配置されている状態では、実際には、第１の接続体１２１の図示下面に設けられた突起部１２１ｃが、筐体１０１に設けられたリング状部材１３５の凹部１３５ａに係合される。
【００２８】
リング状部材１３５には、その周方向に沿って９０°間隔で凹部１３５ａ、１３５ｂ、１３５ｃが設けられている。これらの凹部に第１の接続体１２１の突起部１２１ｃが係合されることで、第１のヒンジ部２１の回転軸１３２回りの移動が制限される。これらの凹部１３５ａ、１３５ｂ、１３５ｃ、及び突起部１２１ｃが、第１のヒンジ部２１を、回転方向の所定角度位置で移動規制する移動規制部として機能する。また、突起部１２１ｃが凹部１３５ａに係合した位置で第１のヒンジ部２１を挟み込むように固定する筐体１０１の突起部１１３、１１４や、これらと同様の作用を奏する突起部１１１、１１２、１１５、１１６も、第１のヒンジ部２１に対する移動規制部として機能する。
【００２９】
図１に示す３枚のパネル１１〜１３が直列に配置されている状態では、第１のヒンジ部２１の突起部１２１ｃは凹部１３５ａに係合される。回転機構３１により第１のヒンジ部２１を９０°回転させ、３枚のパネル１１〜１３を平面視でＶ字形に配置した状態では、突起部１２１ｃは凹部１３５ｂ又は凹部１３５ｃに係合される。
【００３０】
なお、第１のヒンジ部２１と第１のパネル１１との接続部の構造は、図３（ａ）に示した構造に限られず、例えば図３（ｃ）に示すようなヒンジと板バネを用いた構造であってもよい。図３（ｃ）に示す構造では、円盤状の第１部材１２１ａは、筐体１０１に設けられた円形の貫通孔１０１ｃに対して、固定部材１３１と、固定部材１３１を筐体１０１の内側から支持する支持部材１６２とにより接続されている。
【００３１】
固定部材１３１と支持部材１６２は筐体１０１の壁を挟み込むようにして連結されている。筐体１０１の貫通孔１０１ｃの位置において、固定部材１３１と支持部材１６２とが第１のヒンジ部２１の回転軸を形成する。固定部材１３１は、軸部材１６３により支持部材１６２に軸支されている。固定部材１３１は、軸部材１６３の軸回りに揺動可能である。
【００３２】
第１部材１２１ａの裏面（筐体１０１側の面）に、板バネ１６４が設けられている。板バネ１６４は、固定部材１３１を挟んで突起部１２１ｃと反対側の位置に設けられている。軸部材１６３は、突起部１２１ｃと板バネ１６４と結ぶ線分に対して直交する方向に配置されている。この構成により、板バネ１６４の付勢力により突起部１２１ｃを筐体１０１に押しつける力が作用するので、突起部１２１ｃは凹部１３５ａ（１３５ｂ、１３５ｃ）に係合された状態で安定に保持される。
【００３３】
第１の接続体１２１の上面（−Ｚ側の面）中央には、ＣＣＤ（Charge Coupled Device）センサやＣＭＯＳ（Complementary Metal Oxide Semiconductor）センサなどの撮像素子を備えた撮像部１５０が設けられている。撮像部１５０は、図示略の配線等を介して第１のパネル１１の制御部等（図示略）と電気的に接続される。
【００３４】
第２のパネル１２は、第１のパネル１１と共通の基本構成を備えている。第２のパネル１２は、筐体１０２と、筐体１０２内に設けられた表示デバイスとを有する。上記表示デバイスの表示は表示面１２ａを介してユーザーに視認される。筐体１０２の背面１２ｂの中央部には、キャップ部材１３８が装着されている。キャップ部材１３８の中央部には、第１のパネル１１と同様の撮像部１５０が設けられている。
【００３５】
第３のパネル１３は、第１のパネル１１と共通の基本構成を備えている。第３のパネル１３は、筐体１０３と、筐体１０３内に設けられた表示デバイスとを有する。上記表示デバイスの表示は表示面１３ａを介してユーザーに視認される。筐体１０３の背面１３ｂの中央部には、回転機構３２を介して第２のヒンジ部２２が接続されている。回転機構３２は、第１のパネル１１に設けられた回転機構３１と共通の構成である。また第２のヒンジ部２２も、第１のヒンジ部２１と共通の構成である。
【００３６】
第２のヒンジ部２２の第４の接続体１２４が、第１のパネル１１の背面１１ｂに設けられた係止部１１８及び接続部１１９に接続されることで、第１のパネル１１と第３のパネル１３とが第２のヒンジ部２２を介して連結される。第１のパネル１１と第２のヒンジ部２２との接続構造において、第４の接続体１２４の背面側（＋Ｚ側）に設けられた図示略の鉤型の固定部材が、第１のパネル１１の係止部１１８に係止されている。また、第２のヒンジ部２２の第４の接続体１２４の先端部が第１のパネル１１の接続部１１９にねじ止めされている。
【００３７】
（使用態様）
上記構成を備えた本実施形態の電子機器１００は、種々の形態で使用することが可能である。以下、電子機器１００の使用態様の代表例について図面を参照しつつ説明する。
【００３８】
［折り畳み配置］
まず、図４から図１０を参照しつつ、本実施形態の電子機器１００の折り畳み動作について説明する。図４から図１０は、図１に示した直列配置の状態からパネルを折り畳む過程を示した説明図である。
【００３９】
図１に示した直列配置から折り畳み配置に移行するには、まず、図４に示すように、第３のパネル１３を第１のパネル１１から引き離す方向（図示−Ｘ方向）に移動させる。これにより、第２のヒンジ部２２が伸びた状態となる。具体的には、第１の接続体１２１のスリットに沿って第２の接続体１２２が第１のパネル１１側へ引き出されるとともに、第４の接続体１２４のスリットに沿って第３の接続体１２３が第３のパネル１３側へ引き出される。
【００４０】
次に、図５に示すように、第２のヒンジ部２２を屈曲させ、第３のパネル１３を第１のパネル１１側へ折り畳む。図示の場合、第２のヒンジ部２２は、第１の軸部材１２５と第３の軸部材１２７とにおいて屈曲される。このとき、第２の軸部材１２６において屈曲されるようにしてもよい。
【００４１】
続いて、図６に示すように、第３のパネル１３の表示面１３ａと第１のパネル１１の表示面１１ａとが対向して接する位置まで、第３のパネル１３を移動させる。この状態において、第２のヒンジ部２２の第２の接続体１２２は第３のパネル１３の側端面と対向する位置に配置され、第３の接続体１２３は第１のパネル１１の側端面と対向する位置に配置される。
【００４２】
次に、図７に示すように、第２のパネル１２を第１のパネル１１から引き離す方向（図示＋Ｘ方向）に移動させる。これにより、第１のヒンジ部２１が伸びた状態となる。具体的には、第１の接続体１２１のスリットに沿って第２の接続体１２２が第１のパネル１１側へ引き出されるとともに、第４の接続体１２４のスリットに沿って第３の接続体１２３が第３のパネル１３側へ引き出される。
【００４３】
次に、図８に示すように、第１のヒンジ部２１の第２の軸部材１２６をパネル背面側（図示−Ｚ方向）へ突出させるようにして第２の接続体１２２と第３の接続体１２３とを屈曲させる。このとき、第１の軸部材１２５の第１の接続体１２１のスリット上における位置、及び、第３の軸部材１２７の第４の接続体１２４のスリット上における位置は移動させない。上記の操作により、第２のパネル１２が第１のパネル１１側へ引き寄せられる。
【００４４】
次に、図９に示すように、第１のヒンジ部２１を屈曲させて第２のパネル１２を第１のパネル１１側へ移動させる。このとき、第２のパネル１２のキャップ部材１３８を、第１のヒンジ部２１の第１の接続体１２１に近づけるように、第２のパネル１２を移動させる。ここで、第１のヒンジ部２１の第２の接続体１２２は、第１の接続体１２１から第２の接続体１２２を引き出すことにより形成されたスペース（２つの側壁の間のスペース）に収容される。また、第１のヒンジ部２１の第３の接続体１２３は、第４の接続体１２４から第３の接続体１２３を引き出すことにより形成されたスペース（２つの側壁の間のスペース）に収容される。
【００４５】
そして、図１０に示すように、第２のパネル１２を第１のパネル１１（第１のヒンジ部２１の第１の接続体１２１）と接する位置まで移動させることで、電子機器１００の折り畳み動作が完了する。図１０に示す折り畳み配置の電子機器１００では、第１のパネル１１の表示面１１ａと第３のパネル１３の表示面１３ａは互いに対向して配置された保護状態となる。一方、第２のパネル１２の表示面１２ａは外方へ露出しているため、ユーザーは表示面１２ａを介して表示を視認することができる。
【００４６】
［三面直交配置］
次に、図１１から図１５を参照しつつ、本実施形態の電子機器１００における三面直交配置について説明する。図１１から図１４は、図１に示した直列配置から三面直交配置へ移行する過程を示した説明図である。図１５は、三面直交配置における電子機器１００の四面図である。
【００４７】
図１に示した直列配置から三面直交配置に移行するには、まず、図１１に示すように、第１のヒンジ部２１を屈曲させて第２のパネル１２をその背面側へ回動させる。本実施形態では、第１のヒンジ部２１は第２の軸部材１２６において屈曲される。
なお、図１１に示す操作は、第２のパネル１２を回転させる際に、第１のパネル１１と干渉しないようにするために行う。この操作は、第１のヒンジ部２１を伸ばして第２のパネル１２を第１のパネル１１から引き離す操作であってもよい。
【００４８】
次に、図１２に示すように、第２のパネル１２を側方（概略＋Ｙ方向）へ移動させる。これにより、第２のパネル１２に連結されている第１のヒンジ部２１が、回転機構３１の回転軸を中心に回転する。図３に示したように、図１の直列配置では、第１のヒンジ部２１の第１の接続体１２１に設けられた突起部１２１ｃは、リング状部材１３５の凹部１３５ａに係合されている。この状態から、図１２に示すように第２のパネル１２を移動させると、突起部１２１ｃの凹部１３５ａへの係合が解除され、突起部１２１ｃがリング状部材１３５の上面（−Ｚ側の面）に乗り上げる。そうすると、第１の接続体１２１が上方（−Ｚ方向）へ移動するため、第１の接続体１２１を幅方向（Ｙ軸方向）に挟持して位置決めしていた突起部１１３、１１４から第１の接続体１２１が外れる。その後は、突起部１２１ｃをリング状部材１３５の上面で摺動させることで、第１のヒンジ部２１を、回転軸１３２の軸回りに回転させることができる。
【００４９】
なお、突起部１２１ｃがリング状部材１３５に乗り上げた状態にあるとき、回転軸１３２に設けられたコイルバネ１３３の付勢力により、突起部１２１ｃをリング状部材１３５に押しつける応力が作用する。これにより、第２のパネル１２を任意角度だけ回転させた位置で自由に保持することができる。コイルバネ１３３による付勢力は、第２のパネル１２の重量や、突起部１２１ｃと凹部１３５ａ〜１３５ｃとの係合を解除するために必要な力に応じて設定することができる。
【００５０】
図１２に示す状態から第２のパネル１２をさらに移動させると、やがて第１のヒンジ部２１が９０°回転した位置で、第１のヒンジ部２１の回転が停止される。図３に示したように、リング状部材１３５に９０°おきに凹部１３５ａ〜１３５ｃが設けられているため、図１３に示すように９０°回転した位置で、第１のヒンジ部２１の突起部１２１ｃが凹部１３５ｃに嵌合される。また本実施形態の場合、第１の接続体１２１の側面が、台座状の接続部１１９の側面に突き当たるため、第１のヒンジ部２１はそれ以上回転しない。
【００５１】
上記により、第２のパネル１２が、第１のパネル１１の他の辺縁（＋Ｙ側に位置する辺縁）へ配置される。このとき、電子機器１００の３枚のパネル１１〜１３は、平面視でＶ字形の配置となる。
【００５２】
その後、図１４（ａ）に示すように、第１のヒンジ部２１を屈曲させて第２のパネル１２を第１のパネル１１に対して垂直姿勢となる位置へ移動させる。また、第２のヒンジ部２２を屈曲させて第３のパネル１３を第１のパネル１１及び第２のパネル１２に対して垂直姿勢となる位置へ移動させる。
以上により、図１４（ｂ）に示すように、第１のパネル１１の表示面１１ａ、第２のパネル１２の表示面１２ａ、及び第３のパネル１３の表示面１３ａが、互いに直交するように配置された三面直交配置となる。
【００５３】
図１５には、三面直交配置の電子機器１００を複数の方向から表示した図が示されている。図１５（ａ）は、図１４（ａ）に対応する上面図、図１５（ｂ）は＋Ｘ方向視の側面図、図１５（ｃ）は＋Ｙ方向視の側面図、図１５（ｄ）は−Ｘ方向視の側面図である。
【００５４】
図１４及び図１５に示すように、三面直交配置では３枚のパネル１１〜１３は、隣り合うパネル同士で互いの辺が一致するように配置される。これにより、立体的に配置された３つの表示面１１ａ〜１３ａからなる１つの表示面が形成される。
【００５５】
（階段状配置）
次に、図１６は、本実施形態の電子機器における階段配置を示した斜視図である。
本実施形態の電子機器１００は、図１６に示すように、３枚のパネル１１〜１３を階段状に配置することができる。階段状配置では、中央の第１のパネル１１に対して、第２のパネル１２は表示面側から見て前方（＋Ｚ側）へせり出した位置に配置される。一方、第３のパネル１３は、後方（−Ｚ側）へ下がった位置に配置される。この配置では、３枚のパネル１１〜１３の表示面が階段状に配置されるため、例えば、それぞれのパネルに時系列に画像を表示させるようにしてもよい。また、パネル１１〜１３の背面側に設けられた撮像部１５０を使用する際は、複数の撮像部１５０を被写体に対する距離が段階的に異なる状態で配置することができる。
なお、図１６では、３枚のパネル１１〜１３を直線状に配列した状態で階段状に配置しているが、図１６の状態からさらに第２のパネル１２を第１のパネル１１の側方へ回転移動させてもよい。すなわち、図１３のＶ形配置においてさらにパネル１１〜１３を階段状にずらして配置してもよい。
【００５６】
（立体段差配置）
次に、図１７は、本実施形態の電子機器における立体段差配置を示した斜視図である。
本実施形態の電子機器１００は、図１７に示すように、３枚のパネル１１〜１３を、表示面を観察する方向に見て立体的になるように配置することができる。具体的には、中央の第１のパネル１１に対して、第２のパネル１２と第３のパネル１３の双方を、表示面側から見て後方（−Ｚ側）へ下げた位置に配置する。この配置では、３枚のパネル１１〜１３で一枚の横長の画像を表示させた場合に、より立体感のある表示が可能である。
【００５７】
なお、立体段差配置としては、第２のパネル１２及び第３のパネル１３を、第１のパネル１１に対して、表示面側から見て前方にせり出すようにして配置した形態であってもよい。この配置では、３枚のパネル１１〜１３で一枚の横長の画像を表示させた場合に、より奥行き感のある表示が可能である。また、図１７に示す配置においても、第２のパネル１２を第１のパネル１１に対して回転移動させ、Ｖ形配置と立体段差配置を組み合わせた配置としてもよい。
【００５８】
（三角柱配置）
次に、図１８は、本実施形態の電子機器における第１の三角柱配置を示した斜視図である。
本実施形態の電子機器１００は、図１８に示すように、３枚のパネル１１〜１３を、表示面１１ａ〜１３ａを外側に向けた状態で三角柱を構成するように配置することができる。本実施形態の場合、第１のヒンジ部２１及び第２のヒンジ部２２は、それらの第２の接続体１２２及び第３の接続体１２３が三角柱の内側へ配置されるように屈曲される。
この配置では、３枚のパネル１１〜１３がいずれも外側を向いて配置されるため、全方位から画像を視認可能である。
【００５９】
次に、図１９は、本実施形態の電子機器における第２の三角柱配置を示した斜視図である。
本実施形態の電子機器１００は、図１９に示すように、３枚のパネル１１〜１３を、表示面１１ａ〜１３ａを内側に向けた状態で三角柱を構成するように配置することもできる。この場合、第１のヒンジ部２１及び第２のヒンジ部２２は、いずれも伸ばされた状態となる。
この配置では、３枚のパネル１１〜１３の背面に設けられた撮像部１５０が１２０°方位角方向でほぼ１２０°おきに配置され、水平方向の広い範囲に対する撮像が可能である。
【００６０】
（他の配置）
次に、図２０は、本実施形態の電子機器におけるさらに他の配置を示した斜視図である。
図２０（ａ）に示す形態は、本実施形態の電子機器１００において、第３のパネル１３を図示手前側（例えばユーザー側）に平面配置し、その奥側に第１のパネル１１を斜めに配置するとともに、第２のパネル１２を第１のパネル１１の背面側に立てて配置した形態である。この場合、例えば、第１のパネル１１をユーザーの視線に対して正対する表示部として使用し、第３のパネル１３のタッチパネルを入力部として使用することができる。第２のパネル１２は、第１のパネル１１の姿勢保持のための支持部として用いてもよく、第１のパネル１１の背面側に位置するユーザーに対する表示部として用いてもよい。
【００６１】
図２０（ｂ）に示す形態は、本実施形態の電子機器１００において、第３のパネル１３を図示手前側（例えばユーザー側）に平面配置し、その奥側に第１のパネル１１と第２のパネル１２を斜めに配置した形態である。この場合、例えば、第１のパネル１１及び第２のパネル１２をユーザーの視線に対して正対する表示部として使用し、第３のパネル１３のタッチパネルを入力部として使用することができる。第１のパネル１１と第２のパネル１２を大画面の表示部として使用することができる。
【００６２】
以上詳細に説明したように、本実施形態の電子機器１００によれば、３枚のパネル１１〜１３をＶ形に配置した状態から、第２のパネル１２及び第３のパネル１３を立ち上がらせ、表示面１１ａ、１２ａ、１３ａが立方体の隣り合う三面を構成するように配置することができる。これにより、例えば、立体視表示を行うことができる。
また本実施形態の電子機器１００によれば、第１のパネル１１の背面１１ｂに回転機構３１を介して第１のヒンジ部２１が接続されていることで、第２のパネル１２を第１のパネル１１の外周に沿って回転させることができる。これにより、多様なパネル配置が可能となる。
【００６３】
＜電子機器１００の構成＞
次に図２１を用いて、一例としての電子機器１００の構成を説明する。電子機器１００は、図１を用いて説明したように、第１のパネル１１と、第２のパネル１２と、第３のパネル１３とは、それぞれ同様の構成を具備している。そのため、ここでは第１のパネル１１の構成について説明し、第２のパネル１２と第３のパネル１３との構成については、第１のパネル１１の構成との相違点について説明する。
【００６４】
図２１に示すように、第１のパネル１１は、表示部３１０と、表示制御部３２０と、操作検出部３３０と、ヒンジセンサ部３４０と、回転機構センサ部３５０と、姿勢検出部３６０と、制御部３７０と、撮像部３８０と、記憶部３９０と、通信部４００と、バッテリ５００とを備えている。
【００６５】
表示部３１０と、表示制御部３２０と、ヒンジセンサ部３４０と、姿勢検出部３６０と、制御部３７０と、記憶部３９０と、通信部４００とは、制御バス６００を介して接続されている。また、表示部３１０と表示制御部３２０とは、制御バス６１０を介して接続されている。
【００６６】
バッテリ５００は、たとえば、一次電池または二次電池を備えている。バッテリ５００からの電力は、図示しない電力線を介して、第１のパネル１１が備えている表示部３１０と、表示制御部３２０と、ヒンジセンサ部３４０と、回転機構センサ部３５０と、姿勢検出部３６０と、制御部３７０と、撮像部３８０と、記憶部３９０と、通信部４００などの各構成に供給される。
【００６７】
また、バッテリ５００は、ＡＣアダプターを介して入力された電力を二次電池に蓄電させる充電機構を有していてもよい。また、バッテリ５００は、無線給電により受電し、この受電した電力を二次電池に蓄電させる充電機構を有していてもよい。
【００６８】
表示部３１０は、画像、動画、文字またはアイコンなどの表示情報を表示するとともに、ユーザーからのタッチ操作を受け付けるタッチパネルである。なお、第１のパネル１１が備えている表示部３１０の表示面は、図１に示す表示面１１ａに対応する。なお、タッチパネルは、表示部３１０の表示面上に限られず、例えば第１のパネル１１のパネル面上（または、各パネル面上）に設けられていてもよい。
【００６９】
表示制御部３２０は、制御部３７０から供給される画像情報や制御信号に基づいて、表示部３１０に表示情報を表示する。また、表示制御部３２０は、表示部３１０に対してのユーザーの操作に応じた信号（操作信号）を、操作検出部３３０に出力する。
【００７０】
操作検出部３３０は、表示制御部３２０から入力された操作信号に基づいて、たとえば、フリックやピンチなどの操作情報が入力されたか否かを検出する。次に操作検出部３３０は、検出した操作情報を、制御部３７０に出力する。すなわち、操作検出部３３０は、表示部３１０の表示面上（またはパネル面上）に設けられたタッチパネルに対する操作を、表示部３１０および表示制御部３２０を介して検出する。
【００７１】
ヒンジセンサ部３４０は、自パネルと、自パネルにヒンジ部を介して接続されているパネルとの間の、ヒンジ部を介した相対的な位置をヒンジ位置情報として検出する。
たとえば、第１のパネル１１においては、第１のヒンジ部２１を介して接続されている第２のパネル１２と、第１のパネル１１との間の、第１のヒンジ部２１を介した相対的な位置を検出する。一例としては、ヒンジセンサ部３４０はエンコーダを備えている。そして、このエンコーダは、第１のヒンジ部２１の成す角度をヒンジ位置情報として検出する。このようにして第１のパネル１１のヒンジセンサ部３４０は、第１のヒンジ部２１の成す角度をヒンジ位置情報として検出する。
【００７２】
第１のパネル１１の場合と同様に、第３のパネル１３のヒンジセンサ部３４０は、第２のヒンジ部２２の成す角度をヒンジ位置情報として検出する。なお、第２のパネル１２にはヒンジ部が取り付けられていないため、第２のパネル１２のヒンジセンサ部３４０は、ヒンジ位置情報を検出しない。
【００７３】
回転機構センサ部３５０は、自パネルと、自パネルに回転機構を介して接続されているパネルとの間の、回転機構を介した相対的な位置を回転位置情報として検出する。たとえば、第１のパネル１１においては、回転機構３１を介して接続されている第２のパネル１２と、第１のパネル１１との間の、回転機構３１を介した相対的な位置を検出する。一例としては、回転機構センサ部３５０は、ロータリーエンコーダを備えている。そして、このロータリーエンコーダは、回転機構３１による回転位置を回転位置情報として検出する。このようにして第１のパネル１１の回転機構センサ部３５０は、回転機構３１による回転位置を回転位置情報として検出する。
【００７４】
第１のパネル１１の場合と同様に、第３のパネル１３の回転機構センサ部３５０は、回転機構３２による回転位置を回転位置情報として検出する。なお、第２のパネル１２には回転機構が取り付けられていないため、第２のパネル１２の回転機構センサ部３５０は、回転位置情報を検出しない。
【００７５】
姿勢検出部３６０は、たとえば、地磁気センサ、加速度センサ、ジャイロセンサ、位置センサなどであり、自パネルが向いている方位、自パネルが鉛直方向と成す角度、または、位置を、姿勢情報として検出する。なお、自パネルが向いている方位とは、たとえば、自パネル内に基準となる基準方位を有しており、その基準方位が、所定の方位（たとえば北の方位）となす角度のことである。また自パネルが鉛直方向と成す角度は、たとえば、自パネル内に基準となる基準方位を有しており、その基準方位が、鉛直方向となす角度のことである。また位置センサは、ＧＰＳ（Global Positioning System）や、携帯電話網から位置情報を取得するセンサである。
【００７６】
なお姿勢検出部３６０は、方位角検出部３６１と、位置検出部３６２とを備えている。方位角検出部３６１は、上述したように、自パネルが向いている方位、または、自パネルが鉛直方向と成す角度を、方位角として検出し、検出した方位角を示す情報を方位角情報として出力する。位置検出部３６２は、上述したように、自パネルの位置を検出し、検出した位置を示す情報を位置情報として出力する。
【００７７】
撮像部３８０は、光学系を介して受光した光学像を撮像画像として撮像する。なお、第１のパネル１１が備えている撮像部３８０は、図１に示す第１のパネル１１が備えている撮像部１５０に対応する。また撮像部３８０が備えている光学系は広角であり、広い画角を撮像する。また、撮像部３８０は、制御部３７０からの制御信号に応じて、光学系の画角（焦点距離など）を変更する。
【００７８】
制御部３７０は、自パネルが備える各構成を制御する。たとえば制御部３７０は、操作検出部３３０により検出された操作情報に基づいて、自パネルが備える各構成を制御する。
【００７９】
また制御部３７０は、撮像部３８０により撮像された画像を記憶部３９０に記憶させる。また、制御部３７０は、撮像部３８０により撮像された画像を動画形式で記憶部３９０に記憶させる。また制御部３７０は、撮像部３８０により撮像された画像を記憶部３９０に記憶させる場合、回転機構センサ部３５０により検出された回転位置情報、回転機構センサ部３５０により検出された回転位置情報、および、姿勢検出部３６０により検出された姿勢情報とを、画像に関連付けて記憶部３９０に記憶させる。さらに制御部３７０は、複数のパネルにより同じタイミングで撮像がされた場合には、他のパネルにより撮像された画像と関連付けて、自パネルにおいて撮像された画像を、記憶部３９０に記憶させる。すなわち制御部３７０は、３枚のパネルにより撮像された３枚の画像を関連付けて、記憶部３９０に記憶させる。
【００８０】
なお後述するようにパネル間の通信が可能であるため、制御部３７０は、自パネルが備える記憶部３９０に画像を記憶させることもできるし、他パネルが備える記憶部３９０に画像を記憶させることもできる。
【００８１】
また、制御部３７０は、撮像部３８０が次々に撮像した画像を、表示制御部３２０を介して表示部３１０に次々に表示させる。すなわち、制御部３７０は、撮像部３８０により撮像された画像を、表示部３１０にスルー画として表示させる。
【００８２】
記憶部３９０は、撮像部３８０により撮像された画像や、動画形式の画像（動画）を記憶する。また、記憶部３９０には、他の撮像装置により撮像された画像が記憶されていてもよい。また記憶部３９０には、メールやテキストなどの文字情報が記憶されていてもよいし、アイコンなどの情報が記憶されていてもよい。
【００８３】
通信部４００は、電子機器１００が備えている複数のパネルのうち、自パネルとは異なるパネルが備えている通信部４００と通信する。通信方式は任意であり、有線方式であってもよいし、無線方式であってもよい。無線方式は近距離無線通信方式であってもよい。
【００８４】
なお制御部３７０は、自パネルが備えている通信部４００と、他のパネルが備えている通信部４００とを介して、他のパネルが備えている制御部３７０と通信する。これにより、たとえば、複数のパネルのうちのいずれかのパネルが備えている制御部３７０が、他のパネルが備えている制御部３７０を制御するようにして、電子機器１００が全体として協調動作するようにしてもよい。すなわち、マスターとなる制御部３７０が、スレーブとなる制御部３７０を制御することにより、電子機器１００が全体として協調動作をするようにしてもよい。また、複数のパネルが備えている制御部３７０が、相互に協調して動作するようにして、電子機器１００が全体として協調動作するようにしてもよい。
【００８５】
このように、電子機器１００が全体として協調動作する方法は任意である。そのため、以降の説明において、電子機器１００が全体として協調動作する場合、単に制御部３７０が電子機器１００全体を制御するものとして説明する。この制御部３７０とは、マスターとなる制御部３７０であってもよいし、相互に協調して動作している複数の制御部３７０であってもよい。
【００８６】
なお通信部４００を介して各パネル間の通信が可能であるため、制御部３７０は、パネル間で、撮像部３８０による撮像のタイミングをあわせて、撮像することができる。
【００８７】
また制御部３７０は、パネル間で画像などの情報の共有、情報の送信、情報の受信、または情報の転送をすることができる。
【００８８】
また制御部３７０は、パネル間でヒンジ位置情報、回転位置情報、および、姿勢情報を共有することができる。そしてこれにより、制御部３７０は、パネル間の相対的な配置位置をそれぞれ検出することができる。たとえば制御部３７０は、ヒンジ位置情報と回転位置情報との組み合わせに基づいて、パネル間の相対的な配置位置をそれぞれ検出することができる。また制御部３７０は、姿勢情報のみに基づいて、パネル間の相対的な配置位置をそれぞれ検出することができる。また制御部３７０は、ヒンジ位置情報と回転位置情報と姿勢情報との組み合わせに基づいて、パネル間の相対的な配置位置をそれぞれ検出することができる。
【００８９】
このようにしてパネル間の相対的な配置位置をそれぞれ検出することができることにより、制御部３７０は、電子機器１００全体の配置を検出することができる。この電子機器１００全体の配置とは、上述した折り畳み配置、三面直交配置、階段状配置、立体段差配置、三角柱配置、図１に示す直列配置、または、図１３に示すＶ字状配置（またはＬ字状配置）や、電子機器１００がとることができる他の任意の配置のことである。
【００９０】
なお制御部３７０は、図２２、図２３、図２４、図２６または図２８を用いて後述するように、検出した配置に応じて撮像部３８０が撮像する画角を変更する。一例としては、記憶部３９０に、配置を示す配置情報と、この配置情報により示される配置の場合に撮像する画角を示す画角情報とが、関連付けて予め記憶されている。
【００９１】
そして制御部３７０は、撮像する場合、記憶部３９０に記憶されている画角情報の中から、パネル間の相対的な配置位置をそれぞれ検出したことにより得られた配置情報と一致または近似する配置情報と関連づけられている画角情報を読み出す。次に制御部３７０は、読み出した画角情報に基づいて、パネルそれぞれが備えている撮像部３８０の画角を変更し、画角を変更した撮像部３８０により撮像する。
【００９２】
また、制御部３７０は、ヒンジ位置情報と回転位置情報との組み合わせ、姿勢情報、または、ヒンジ位置情報と回転位置情報と姿勢情報との組み合わせに基づいて、図４３または図４６を用いて後述するティルト操作を検出する。
【００９３】
＜撮像方法＞
次に、電子機器１００を用いた撮像方法について説明する。なお各撮像方法において、制御部３７０は、ユーザーからの撮像操作に応じて、それぞれのパネルが備えてる撮像部１５０により同じタイミングで撮像する。また制御部３７０は、各パネルの相対的な配置に応じて、パネルのそれぞれが備えている撮像部１５０の画角を変更する。また、制御部３７０は、それぞれのパネルが備えている撮像部１５０の画角が同じとなるように、それぞれのパネルが備えている撮像部１５０を制御する。
【００９４】
＜撮像方法１＞
次に図２２を用いて、第１の撮像方法について説明する。この第１の撮像方法においては、図１に直列配置として示したように、３枚のパネルが直列に配置されているとともに、各パネルの撮像方向が同じ方向にされている。
【００９５】
ここで、パネル１１の撮像部１５０は、撮像方向Ｃｂを中心として画角Ｗｂの領域を撮像する。またパネル１３の撮像部１５０は、撮像方向Ｃaを中心として画角Ｗaの領域を撮像する。またパネル１２の撮像部１５０は、撮像方向Ｃｃを中心として画角Ｗｃの領域を撮像する。図２２に示す配置により撮像することにより、電子機器１００は、単一のパネルで撮像するよりも、全体として広い画角を撮像することができる。
【００９６】
＜撮像方法２＞
次に図２３を用いて、第２の撮像方法について説明する。この第２の撮像方法においては、図１または図２２を用いて説明した直列配列の場合よりも、パネル１１とパネル１２とパネル１３との撮像部１５０が撮像する撮像方向が成す角度が広がるように、パネル１１とパネル１２とパネル１３とが配置されている。
そのため電子機器１００は、図２３に示す撮像方法２の場合、図２２を用いて説明した第１の撮像方法よりも、より広い画角を撮像することができる。
【００９７】
ここで制御部３７０は、図２３の配置の場合には、図２２の配置の場合に対比して、撮像部の画角を広くするように変更してもよい（図２３の画角Ｗａ’、Ｗｂ’、Ｗｃ’を参照）。また制御部３７０は、各パネルの相対的な配置に応じて、接続されている２つのパネルの撮像部１５０により撮像される２つの画像に、重複領域が生じるように、撮像部の画角を変更する。これにより電子機器１００は、複数のパネルが備える撮像部１５０それぞれにより撮像された画像を合成してパノラマ表示する場合に、欠けている領域を減じて、パノラマ表示することができる。
【００９８】
＜撮像方法３＞
次に図２４を用いて、第３の撮像方法について説明する。この第３の撮像方法において、パネル１１と１２と１３とは、図１９を用いて説明した配置と同じ配置である。電子機器１００は、この配置で撮像することにより、三角柱の中心軸まわりにおける３６０度の撮像範囲を撮像することができる。なお、三角柱の中心軸まわりにおける３６０度の撮像範囲を撮像するために、制御部３７０は、撮像部１５０の撮像画角をそれぞれ１２０度以上にする（図２４の画角Ｗａ’’、Ｗｂ’’、Ｗｃ’’を参照）。
【００９９】
次に図２５を用いて、図２４を用いて説明した撮像方法３により撮像した画像を表示する一例を説明する。この図２５の配置は、図１８を用いて説明した配置と同じ配置である。電子機器１００は、この配置により、三角柱の中心軸まわりにおける３６０度の画像を表示することができる。
ここで電子機器１００は、撮像方法３により撮像した画像を表示することにより、三角柱の中心軸まわりの３６０度で撮像した画像を、三角柱の中心軸まわりの３６０度で画像を表示することができる。
【０１００】
＜撮像方法４＞
次に図２６を用いて、第４の撮像方法について説明する。第４の撮像方法において、パネル１２と１３と１４とは、図１４（ａ）を用いて説明した配置と同じ配置である。電子機器１００は、この配置で撮像することにより、三面直交による撮像範囲を撮像することができる。なお三面直交による撮像範囲とは、立方体が有する６面にうち、１つの頂点を共有する３面について、この立方体から遠ざかる方向に含まれる領域のことである。
なお、パネル１２と１３と１４とが備えているそれぞれの撮像部１５０の撮像範囲に重複が生じるように、制御部３７０は、撮像部１５０の画角を広角にする。このように画角を調整することにより、電子機器１００は、画像領域で欠けた領域を減じて、三面直交による撮像範囲を撮像することができる。
【０１０１】
次に図２７を用いて、図２６を用いて説明した撮像方法４により撮像した画像を表示する一例について説明する。この図２７の配置は、図１４（ｂ）を用いて説明した配置と同じ配置である。この図２７に示す表示部は三面直交による表示領域を備えている。なお三面直交による表示領域とは、立方体が有する６面にうち、１つの頂点を共有する３面上の領域（３面について、立方体の内側となる面上の領域）のことである。そのため、電子機器１００は、第４の撮像方法により三面直交による撮像範囲で撮像した画像を、好適に表示することができる。
【０１０２】
＜撮像方法５＞
次に図２８を用いて、第５の撮像方法について説明する。第５の撮像方法において、パネル１１と１２と１３とは、図１６を用いて説明した配置と同じ配置である。電子機器１００は、この配置で撮像することにより、被写体からパネルまでの距離を、パネル毎に異ならせることができる。例えば図２８に示すように、被写体Ｑからの距離がパネル１３はＬ１、パネル１１はＬ２、パネル１２はＬ３と、被写体Ｑからパネルまでの距離を、それぞれのパネル毎に異ならせることができる。
【０１０３】
そのため、パネル１１と１２と１３が備えている撮像部１５０において同じ合焦処理と撮像処理を実行した場合、各パネルが備えている撮像部１５０は、被写体からの距離をそれぞれ異ならせて撮像することになる。そのため、その後、被写体からの距離をそれぞれ異ならせて撮像した画像の中から、制御部３７０が、最も合焦している画像を選択するなどの選択処理をする。これにより、ユーザーは、より合焦していて好適な画像を撮像することができる。
【０１０４】
＜シャッターボタンの配置＞
次に、図２９と図３０とを用いて、制御部３７０がシャッターボタンＳＢ（たとえば図２９の符号ＳＢを参照）を、表示面１１ａ、１２ａ、１３ａ内のいずれかの表示位置に表示する例について説明する。
【０１０５】
なお、以降の図面において、鉛直方向下向きを示す方向を鉛直方向ｇとして説明する（一例としては図２９における符号ｇを参照）。またユーザーは、鉛直方向ｇに沿って立っているものとして説明する。またユーザーは、表示面１１ａ、１２ａまたは１３ａが見えるようにして、右手と左手により、電子機器１００を把持するものとして説明する。またユーザーは、表示面１１ａ、１２ａまたは１３ａのいずれかに表示されているシャッターボタンを、右手の指（親指や人差し指など）により押下するものとして説明する。
【０１０６】
＜配置例１：直列配置＞
図２９は、図２２を用いて説明した第１の撮像方法（直列配置）において、制御部３７０がシャッターボタンＳＢ（図２９の符号ＳＢを参照）を、表示面１１ａ、１２ａまたは１３ａ内のいずれかの表示位置に表示する例を示す図である。
【０１０７】
図２９（ａ）、図２９（ｂ）および図２９（ｃ）のそれぞれにおいて、各パネルが有する表示面の法線方向は方向ｇとほぼ直交しており、各パネルの表示面を、ユーザーは水平方向からほぼ正面視するものとして説明する。
【０１０８】
図２９（ａ）は、ユーザーが第１の横位置で電子機器１００を把持した場合の例を示す図である。図２９（ｂ）は、ユーザーが第２の横位置で電子機器１００を把持した場合の例を示す図である。図２９（ｃ）は、ユーザーが縦位置で電子機器１００を把持した場合の例を示す図である。なお、図２９（ａ）と図２９（ｂ）とでは、パネル１１を中心として（パネル１１が有する表示面１１ａの法線を回転軸として）、パネル１２と１３とが、１８０度回転している。
【０１０９】
＜第１の横位置＞
図２９（ａ）においては、パネル１１と１２と１３とのうち、パネル１３がユーザーから見て最も左側になり、パネル１２がユーザーから見て最も右側になる。この場合、ユーザーは、たとえば、パネル１３のうちユーザーから見て左側の領域（領域α１を参照）を左手で把持し、パネル１２のうちユーザーから見て右側の領域（領域α２を参照）を右手で把持する。
【０１１０】
制御部３７０は、この場合、表示面１２ａの表示領域のうち、ユーザーから見て右側の領域（領域α２を参照）にシャッターボタンＳＢを配置する。ここでユーザーは領域α２を右手で把持しているため、ユーザーは右手の指でシャッターボタンＳＢを押下しやすくなる。
【０１１１】
＜第２の横位置＞
図２９（ｂ）においては、パネル１１と１２と１３とのうち、パネル１２がユーザーから見て最も左側になり、パネル１３がユーザーから見て最も右側になる。この場合、ユーザーは、たとえば、パネル１２のうち、ユーザーから見て左側の領域（領域α３を参照）を左手で把持し、パネル１３のうち、ユーザーから見て右側の領域（領域α４を参照）を右手で把持する。
【０１１２】
制御部３７０は、この場合、表示面１３ａの表示領域のうち、ユーザーから見て右側の領域（領域α４を参照）にシャッターボタンＳＢを配置する。ここでユーザーは領域α４を右手で把持しているため、ユーザーは右手の指でシャッターボタンＳＢを押下しやすくなる。
【０１１３】
＜縦位置＞
図２９（ｃ）においては、パネル１１と１２と１３とのうち、パネル１２がユーザーから見て最も上側になり、パネル１３がユーザーから見て最も下側になる。この場合、ユーザーは、たとえば、パネル１２のうちユーザーから見て左上側の領域（領域α５を参照）を左手で把持し、パネル１３のうちユーザーから見て右下側の領域（領域α６を参照）を右手で把持する。
【０１１４】
制御部３７０は、この場合、表示面１３ａの表示領域のうち、ユーザーから見て右下側の領域（領域α６を参照）にシャッターボタンＳＢを配置する。ここでユーザーは領域α６を右手で把持しているため、ユーザーは右手の指でシャッターボタンＳＢを押下しやすくなる。
【０１１５】
＜配置例２：三面直交配置＞
図３０は、図２６を用いて説明した第４の撮像方法（三面直交配置）において、制御部３７０がシャッターボタンＳＢ（図３０の符号ＳＢを参照）を、表示面１１ａ、１２ａまたは１３ａ内のいずれかの表示位置に表示する例を示す図である。
【０１１６】
図３０（ａ）の場合、パネル１１がユーザーに対して最も下側となり、パネル１２がユーザーに対して左側となり、パネル１３がユーザーに対して右側となる。この場合、ユーザーは、たとえば、パネル１２のうちユーザーから見て左上側の領域（領域α７を参照）を左手で把持し、パネル１１のうちユーザーから見て最も手前となる側の領域（領域α８を参照）を右手で把持する。
【０１１７】
制御部３７０は、この場合、表示面１１ａの表示領域のうち、ユーザーから見て最も手前となる側の領域（領域α８を参照）にシャッターボタンＳＢを配置する。ここでユーザーは領域α８を右手で把持しているため、ユーザーは右手の指でシャッターボタンＳＢを押下しやすくなる。
【０１１８】
図３０（ｂ）の場合も、図３０（ａ）の場合と同様に図２６を用いて説明した第４の撮像方法（三面直交配置）である。しかし、この図３０（ｂ）の場合、電子機器１００の方位角が、図３０（ａ）の場合と異なる。
【０１１９】
すなわち、図３０（ａ）の場合、パネル１１がユーザーに対して最も下側となっていたのに対して、図３０（ｂ）の場合、パネル１３がユーザーに対して最も下側となっている。また、図３０（ａ）の場合、パネル１２がユーザーに対して左側となり、パネル１３がユーザーに対して右側となっていたのに対して、図３０（ｂ）の場合、パネル１１がユーザーに対して左側となり、パネル１２がユーザーに対して右側となっている。
【０１２０】
図３０（ｂ）の場合、ユーザーは、たとえば、パネル１１のうちユーザーから見て左上側の領域（領域α９を参照）を左手で把持し、パネル１３のうちユーザーから見て最も手前となる側の領域（領域α１０を参照）を右手で把持する。
【０１２１】
制御部３７０は、この場合、表示面１３ａの表示領域のうち、ユーザーから見て最も手前となる側の領域（領域α１０を参照）にシャッターボタンＳＢを配置する。ここでユーザーは領域α１０を右手で把持しているため、ユーザーは右手の指でシャッターボタンＳＢを押下しやすくなる。
【０１２２】
上記に図２９と図３０とを用いて説明した例は、配置形態情報と方位角情報と、シャッターボタンＳＢを、表示面１１ａ、１２ａ、１３ａ内のいずれかの表示位置に表示する位置を示す表示配置形態情報との関係を示す一例である。この例に限られることなく、制御部３７０は、配置形態情報と方位角情報とに応じた表示部の位置に、シャッターボタンＳＢを表示する。
【０１２３】
＜制御部３９０の構成＞
次に、図３１を用いて制御部３９０の構成について説明する。制御部３９０は、第１検出部３７１と第２検出部３７２とを備えている。
【０１２４】
第１検出部３７１は、複数のパネルそれぞれの間の相対的な位置関係を示す配置形態を検出し、検出した配置形態を示す情報を配置形態情報として出力する。
【０１２５】
一例としては、第１検出部３７１は、ヒンジセンサ部３４０により検出されたヒンジ位置情報、回転機構センサ部３５０により検出された回転位置情報、位置検出部３６２により検出された位置情報、および、姿勢検出部３６０の方位角検出部３６１により検出された方位角情報の組合せを、配置形態情報として検出する。
【０１２６】
より詳細な第１の例としては、第１検出部３７１は、パネル１１のヒンジセンサ部３４０により検出されたヒンジ位置情報、パネル１３のヒンジセンサ部３４０により検出されたヒンジ位置情報、パネル１１の回転機構センサ部３５０により検出された回転位置情報、パネル１３の回転機構センサ部３５０により検出された回転位置情報との組み合わせを、配置形態情報として出力する。
【０１２７】
また、より詳細な第２の例としては、第１検出部３７１は、パネル１１の位置検出部３６２により検出された位置情報、パネル１２の位置検出部３６２により検出された位置情報、パネル１３の位置検出部３６２により検出された位置情報、パネル１１の方位角検出部３６１により検出された方位角情報、パネル１２の方位角検出部３６１により検出された方位角情報、および、パネル１３の方位角検出部３６１により検出された方位角情報のの組合せを、配置形態情報として検出する。
【０１２８】
なお第１検出部３７１が検出する配置形態情報としては、少なくとも、複数のパネルそれぞれの間の相対的な位置関係が一意に特定されればよく、各パネルにおけるヒンジ位置情報、回転位置情報、位置情報または方位角情報の組み合わせは任意である。
【０１２９】
なお、各パネルに対して検出されたヒンジ位置情報、回転位置情報、位置情報または方位角情報そのものではなく、各パネルに対して検出されたヒンジ位置情報、回転位置情報、位置情報または方位角情報に基づいて生成した情報を、第１検出部３７１は、配置形態情報として検出してもよい。
【０１３０】
たとえば、各パネルに対して検出されたヒンジ位置情報と回転位置情報とに基づいて、第１検出部３７１が、位置情報または方位角情報に相等する情報を生成してもよい。そして、第１検出部３７１は、生成した位置情報または方位角情報に相等する情報、および、各パネルに対して検出されたヒンジ位置情報と回転位置情報の組み合わせに基づいて、配置形態情報を検出してもよい。
【０１３１】
また、各パネルに対して検出された位置情報と方位角情報とに基づいて、第１検出部３７１がヒンジ位置情報または回転位置情報に相等する情報を生成してもよい。そして、第１検出部３７１は、生成したヒンジ位置情報または回転位置情報に相等する情報、および、各パネルに対して検出された位置情報と方位角情報と組み合わせに基づいて、配置形態情報を検出してもよい。
【０１３２】
このように第１検出部３７１は、各パネルに対して検出されたヒンジ位置情報、回転位置情報、位置情報または方位角情報に基づいて、複数のパネルそれぞれの間の相対的な位置関係を示す配置形態を検出し、検出した配置形態を示す情報を配置形態情報として出力する。
【０１３３】
第２検出部３７２は、パネル１１の方位角検出部３６１により検出された方位角情報、パネル１２の方位角検出部３６１により検出された方位角情報、または、パネル１３の方位角検出部３６１により検出された方位角情報を、出力する。
【０１３４】
この第２検出部３７２は、パネル１１の方位角検出部３６１により検出された方位角情報、パネル１２の方位角検出部３６１により検出された方位角情報、または、パネル１３の方位角検出部３６１により検出された方位角情報を合成して、１つの方位角情報として出力してもよい。合成の方法は、３つの方位角情報のうち、いずれかを選択する方法であってもよい。
【０１３５】
なお、この第２検出部３７２は、パネル１１の方位角検出部３６１により検出された方位角情報、パネル１２の方位角検出部３６１により検出された方位角情報、または、パネル１３の方位角検出部３６１のうちの、いずれかの方位角検出部３６１であってもよい。
【０１３６】
＜記憶部３９０の構成＞
次に、図３２を用いて記憶部３９０の構成について説明する。記憶部３９０は、画像記憶部３９１と、画角情報記憶部３９２と、シャッターボタン表示位置情報記憶部３９３とを備えている。
【０１３７】
画像記憶部３９１には、複数の画像と配置形態情報とが関連付けられて記憶される。なお画像記憶部３９１には、複数の画像と配置形態情報とが関連付けられるとともに、更にヒンジ位置情報、回転位置情報、位置情報または方位角情報が関連付けられて記憶されてもよい。
【０１３８】
画角情報記憶部３９２には、配置形態情報と関連付けて画角情報が予め記憶されている。画角情報記憶部３９２には、たとえば図２２と図２３と図２４とを用いて説明したような、配置形態情報と関連付けて画角情報が予め記憶されている。
【０１３９】
シャッターボタン表示位置情報記憶部３９３には、配置形態情報と方位角情報との組み合わせと関連付けて、シャッターボタンを表示する位置を示すシャッターボタン表示位置情報が予め記憶されている。たとえば、図２９と図３０とを用いて説明したような配置形態情報と方位角情報との組み合わせとシャッターボタン表示位置情報とが関連付けられて、このシャッターボタン表示位置情報記憶部３６３に記憶されている。
【０１４０】
上記に説明した記憶部３９０を用いる例については、次に説明する撮像動作（図３３参照）、および、表示動作（図３４参照）において説明する。
【０１４１】
＜撮像動作＞
次に、図３３を用いて、撮像する場合における電子機器１００の動作（撮像動作）について説明する。
【０１４２】
まず、それぞれのパネルが備えているヒンジセンサ部３４０と、回転機構センサ部３５０と、姿勢検出部３６０の位置検出部３６２と、姿勢検出部３６０の方位角検出部３６１とが、ヒンジ位置情報、回転位置情報、位置情報、または、方位角情報をそれぞれ検出する（ステップＳ１１）。
【０１４３】
次に、制御部３７０は、検出されたヒンジ位置情報、回転位置情報、位置情報、または、方位角情報に基づいて、複数のパネルそれぞれの間の相対的な位置関係を示す配置形態を検出する（ステップＳ１２）。
【０１４４】
次に、制御部３７０は、検出された方位角情報および検出した配置形態情報と関連付けられているシャッターボタン表示位置情報を記憶部３９０のシャッターボタン表示位置情報記憶部３６４から読み出し、読み出したシャッターボタン表示位置情報に基づいてシャッターボタンを表示部３１０に表示する（ステップＳ１３）。
【０１４５】
すなわち、制御部３７０は、第２検出部３７２により検出された方位角情報により示される方位角に応じて、第１のパネル１１、第２のパネル１２または第３のパネル１３に備えられている表示部に表示するシャッターボタンＳＢの位置（表示位置）を変更する（ステップＳ１３参照）。
【０１４６】
また制御部３７０は、第１検出部３７１により検出された配置形態情報により示される配置形態に応じて、第１のパネル１１、第２のパネル１２または第３のパネル１３に備えられている表示部に表示するシャッターボタンＳＢの位置（表示位置）を変更する（ステップＳ１３参照）。
【０１４７】
次に、制御部３７０は、検出した配置形態情報と関連付けられている画角情報を記憶部３９０の画角情報記憶部３９２から読み出し、読み出した画角情報に基づいて、それぞれの撮像部３８０により撮像する場合の画角を設定する（ステップＳ１４）。
【０１４８】
すなわち、制御部３７０は、第１検出部３７１により検出された配置形態情報により示される配置形態に応じて、第１のパネル１１、第２のパネル１２および第３のパネル１３のそれぞれに備えられている撮像部３８０により撮像する画角を変更する（ステップＳ１４参照）。
【０１４９】
次に、制御部３７０は、シャッターボタンの押下を検出したか否かを判定する（ステップＳ１６）。ステップＳ１６においてシャッターボタンの押下を検出しない場合、制御部３７０は、ステップＳ１１からの処理を繰り返す。すなわち、制御部３７０は、ユーザーによるシャッターボタンが押下される操作入力を待つ。
【０１５０】
一方ステップＳ１６においてシャッターボタンの押下を検出した場合、制御部３７０は、それぞれの撮像部３８０により撮像する（ステップＳ１７）。
【０１５１】
次に、制御部３７０は、それぞれの撮像部３９０により撮像した画像を関連付けるとともに、検出した配置形態情報を関連付けて記憶部３９０の画像記憶部３９１に記憶させる（ステップＳ１８）。なお、このステップＳ１８において、制御部３７０は、更に、ヒンジ位置情報、回転位置情報、位置情報、または、方位角情報を、撮像した画像に関連付けて記憶部３９０の画像記憶部３９１に記憶させてもよい。
【０１５２】
図３３を用いて説明した撮像動作により、制御部３７０は、複数の撮像部３８０それぞれにより撮像した画像を関連付けて記憶部３９０の画像記憶部３９１に記憶させることができるとともに、撮像した場合の配置形態情報を画像と関連付けて記憶部３９０の画像記憶部３９１に記憶させることができる。また制御部３７０は、更に、ヒンジ位置情報、回転位置情報、位置情報、または、方位角情報を撮像した画像に関連付けて記憶部３９０の画像記憶部３９１に記憶させることができる。
【０１５３】
なお、ステップＳ１４において、制御部３７０は、第１検出部３７１により検出された配置形態情報により示される配置形態のみならず、第２検出部３７２により検出された方位角に応じても、第１のパネル１１、第２のパネル１２および第３のパネル１３のそれぞれに備えられている撮像部３８０により撮像する画角を変更してもよい。
【０１５４】
この場合、画角情報記憶部３９２には、配置形態情報と方位角情報と関連付けて画角情報が予め記憶されている。そして、ステップＳ１４において、制御部３７０は、検出した配置形態情報と検出した方位角情報と関連付けられている画角情報を記憶部３９０の画角情報記憶部３９２から読み出し、読み出した画角情報に基づいて、それぞれの撮像部３８０により撮像する場合の画角を設定する。これにより制御部３７０は、より適切に画角を設定することができる。
【０１５５】
＜表示動作＞
次に、図３４を用いて、撮像した画像を表示部３１０に表示する場合における電子機器１００の動作（表示動作）について説明する。
【０１５６】
ここでは、たとえばユーザーの操作により、表示する画像が選択されたものとして説明する。またここでは、ユーザーの操作により、複数の撮像部３９０（この場合、３つの撮像部３９０）により撮像された複数の画像（３枚の画像）のうち、１枚の画像が選択されたものとして説明する。またここでは、撮像された画像と関連付けて、配置形態情報が記憶部３９０の画像記憶部３９１に記憶されているものとして説明する。
【０１５７】
まず制御部３７０は、選択された画像を記憶部３９０の画像記憶部３９１から読み出すとともに、選択された画像と関連付けられている画像と、配置形態情報を記憶部３９０の画像記憶部３９１から読み出す（ステップＳ２１）。
【０１５８】
次に制御部３７０は、読み出した配置形態情報に基づいた情報を出力する（ステップＳ２２）。たとえば制御部３７０は、配置形態情報により示される配置形態を示す情報を、予め定められているアイコン情報や文字情報として、表示部３１０に表示する。または、制御部３７０は、配置形態情報に基づいて、電子機器１００の外観を示す画像を生成し、生成した画像を表示部３１０に表示してもよい。また制御部３７０は、配置形態情報により示される配置形態を示す情報を、予め定められている音声情報により、不図示のスピーカなどの音出力部から、音として出力してもよい。
【０１５９】
次に制御部３７０は、読み出した画像（複数の画像）を、対応する表示部３１０にそれぞれ表示させる（ステップＳ２３）。なお制御部３７０は、画像に対して画像処理をした後、表示部３１０に表示させてもよい。この画像処理とは、たとえば複数の画像の重複部分を削除するような画像処理である。またこの画像処理は、読み出した配置形態情報に基づいた画像処理であってもよい。
【０１６０】
上記に説明したステップＳ２２より、制御部３７０が配置形態情報に基づいた情報を出力している。そのためユーザーは、表示しようとする画像を撮像したときにおける電子機器１００の配置形態を知ることができる。よってユーザーは、表示しようとする画像を撮像したときにおける電子機器１００の配置形態にあわせて、電子機器１００の配置形態を変更することができる。
【０１６１】
たとえばユーザーは、表示しようとする画像が、図２４を用いて説明した第３の撮像方法（電子機器１００の配置形態）により、撮像されていることを知ることができる。よって、ユーザーは、この電子機器１００の配置形態にあわせて、表示する場合の電子機器１００の配置形態を、図２５（または図１８）を用いて説明した配置形態にすることができる。
【０１６２】
図３３を用いて説明した撮像動作により、撮像段階において、ユーザーは電子機器１００を任意の配置形態にして、撮像することができる。そして図３４を用いて説明した表示動作により、表示段階において、ユーザーは、撮像した場合の電子機器１００の配置形態にあわせて、画像を表示することができる。
【０１６３】
なお図３４を用いて説明した表示動作において、制御部３７０は、読み出した配置形態情報に基づいた情報と、読み出した画像とを、表示部３１０に表示する場合には、読み出した画像に、読み出した配置形態情報に基づいた情報を重畳させて表示部３１０に表示してもよい。また制御部３７０は、ユーザーによる操作指示に基づいて、読み出した配置形態情報に基づいた情報を表示部３１０に表示するか、しないかを、切り替えるようにしてもよい。これによりユーザーは、画像とともに、配置形態情報に基づいた情報を見やすくなる。
【０１６４】
＜撮像距離を異ならせて撮像する場合の撮像動作＞
次に、図３５を用いて、撮像距離（撮像部１５０から被写体までの距離）を異ならせて撮像する場合における電子機器１００の動作（撮像動作）について説明する。この撮像動作は、たとえば、図２８を用いて説明した第５の撮像方法における撮像動作である。
【０１６５】
この図３５の撮像動作は、図３３を用いて説明した撮像動作に対比して、ステップＳ１４とステップＳ１６との間に、ステップＳ１５が追加されている点が相違する。他のステップは同様なので、ここでは相違点のみについて説明する。
【０１６６】
ステップＳ１５において、制御部３７０は、第１のパネル１１、第２のパネル１２および第３のパネル１３に設けられているそれぞれの撮像部３８０のうち、いずれかの撮像部３８０に対して設定した撮像条件に基づいて、他の撮像部３８０に対しての撮像条件を設定する。この撮像条件とは、オートフォーカスのフォーカス条件や、露出条件、オートホワイトバランスの調整条件などである。
【０１６７】
たとえば、制御部３７０は、いずれかの撮像部３８０に対して設定した撮像条件と同じ撮像条件を、他の撮像部３８０に対して設定する。これにより、電子機器１００は、撮像条件を同じにして、かつ、撮像距離を異ならせて、被写体を複数の撮像部３８０により撮像することができる。
【０１６８】
なお、制御部３７０は、いずれかの撮像部３８０に対して設定した撮像条件と、第１検出部３７１により検出された配置形態情報とに基づいて、他の撮像部３８０に対しての撮像条件を設定してもよい。これにより制御部３７０は、第１のパネル１１、第２のパネル１２および第３のパネル１３のそれぞれの撮像距離に応じて、それぞれの撮像部３８０の撮像条件を設定することができる。これにより、電子機器１００は、撮像距離を異ならせて、かつ、撮像距離に応じた撮像条件で、被写体を複数の撮像部３８０により撮像することができる。
【０１６９】
なお、図３３を用いて説明した撮像動作においても、図３５において説明したステップＳ１５の処理を実行してもよい。すなわち、撮像距離を異ならせずに撮像する場合においても、制御部３７０は、第１のパネル１１、第２のパネル１２および第３のパネル１３に設けられているそれぞれの撮像部３８０のうち、いずれかの撮像部３８０に対して設定した撮像条件に基づいて、他の撮像部３８０に対しての撮像条件を設定してもよい。これにより、撮像部３８０は、複数の撮像部３８０それぞれに対して、撮像条件を設定することができる。
【０１７０】
その後、制御部３７０は、複数のパネルそれぞれに設けられている撮像部３８０それぞれにより撮像した画像に基づいて、画像を生成する。たとえば制御部３７０は、複数の撮像部３８０それぞれにより撮像した画像から、いずれかの画像を選択することにより、画像を生成する。
【０１７１】
一例として、制御部３７０は、複数の撮像部３８０それぞれにより撮像した画像それぞれの合焦度合いに基づいて、いずれかの画像を選択することにより、画像を生成する。ここで制御部３７０は、複数の画像それぞれの合焦度合いを算出し、算出した合焦度合いが最も高い画像を選択する。これにより制御部３７０は、たとえば、複数の画像のうち、最も被写体に合焦している画像を選択することができる。
【０１７２】
なお、制御部３７０が、複数のパネルそれぞれに設けられている撮像部３８０それぞれにより撮像した画像に基づいて画像を生成するのは、選択するだけに限られず、次のようにしてもよい。
【０１７３】
制御部３７０は、複数の撮像部３８０それぞれにより撮像された画像を合成することにより、画像を生成してもよい。また制御部３７０は、複数の撮像部３８０それぞれにより撮像した画像に対して、それぞれの画像の合焦度合いに基づいた重みをつけて合成することにより、画像を生成してもよい。
【０１７４】
このようにして合成することにより、制御部３７０は、複数の撮像部３８０それぞれにより撮像された画像すべてを用いて、より好適な画像をユーザーに提供することができる。
【０１７５】
なお、ここでは電子機器１００の制御部３７０が、複数のパネルそれぞれに設けられている撮像部３８０それぞれにより撮像した画像に基づいて、画像を生成するものとして説明したが、これに限られるものではない。たとえば、電子機器１００ではなく、パーソナルコンピュータなどの他の電子機器において、電子機器１００が備えている複数のパネルそれぞれに設けられている撮像部３８０それぞれにより撮像した画像に基づいて、画像を生成してもよい。
【０１７６】
なお、上記の説明においては制御部３７０が第１検出部３７１と第２検出部３７２とを備えているものとして説明したが、これに限られるものではなく、電子機器１００が第１検出部３７１と第２検出部３７２とを備えていればよい。たとえば、第１検出部３７１と第２検出部３７２とが制御バス６００に接続されていてもよい。
【０１７７】
＜オブジェクトの分類モード＞
次に図３６を用いて、電子機器１００を用いて、ユーザーがオブジェクトを分類（仕分け）する「分類モード」について説明する。ここでは電子機器１００を用いて、ユーザーが、オブジェクトの一例である画像に対して、「お気に入り」という属性情報を付加する、「ゴミ（お気に入りではない）」という属性情報を付加する、「お気に入り」または「ゴミ」という属性情報を付加しない、という３つの分類をする場合について説明する。
【０１７８】
図３６に示すように、電子機器１００をＶ字型配置する。このＶ字型配置は、図１３を用いて説明した配置と同様の配置である。なおこの図３６においては、各パネルの表示面が示されている。
【０１７９】
またここでは、パネル１１には分類する元となる画像が表示される。また、パネル１２には「ゴミ」を示す属性情報が関連付けられており、「ゴミ箱」を示す文字やアイコンなどの情報が示されている。またパネル１３には「お気に入り」を示す属性情報が関連付けられており、「お気に入り」を示す文字やアイコンなどの情報が示されている。
【０１８０】
そして「分類モード」として、パネル１１に表示された画像に対して、ユーザーが自身の操作により、「ゴミ」という属性情報を付加するか、「お気に入り」という属性情報を付加するか、または、これらの属性を付加しない、という分類が実行される。
【０１８１】
ここで、パネル１１の表示面１１ａに設けられているタッチパネルへの操作（タッチパネルに対して入力される操作）を操作検出部３３０が検出する一例としてのフリックの種類について、図３６を用いて説明する。ここで、フリックとは、タッチパネルに対して入力される操作のうちのスライド操作のことであって、素早くスライド（弾く）する操作、またはゆっくりスライドする操作等を含む操作のことである。
【０１８２】
フリックＤ１は、パネル１１からパネル１３へ向かう方向に対して、図３６の紙面上において時計回りに４５度の回転した方向へのフリックである。フリックＤ２は、パネル１１からパネル１２へ向かう方向に対して、図３６の紙面上において反時計回りに４５度の回転した方向へのフリックである。このフリックＤ１とフリックＤ２との方向は、たとえばパネル１１が分類モードである場合に、予め定められている方向である。
【０１８３】
フリックＤ３はパネル１１からパネル１２の方向へ向かうフリックであり、フリックＤ４はパネル１１からパネル１３の方向へ向かうフリックである。
【０１８４】
なおパネル１１に順に表示される画像として、図３７に示すように、画像Ｇ１１、画像Ｇ１２、画像Ｇ１３・・・と順序付けられている複数の画像が、パネル１１の記憶部３９０に予め記憶されているものとして説明する。この順序は、画像ファイルのファイル名に基づいた順序であってもよいし、画像ファイルの日付情報に基づいた順序であってもよいし、画像ファイルの他の属性情報に基づいた順序であってもよい。
【０１８５】
以下、図３８から図４１の説明図、および図４２のフローチャートを参照して、分類モードの処理の一例を説明する。
分類モードを開始するアイコンがユーザーにより選択されたことにより、制御部３７０は、分類モードを開始する。分類モードの開始状態として、制御部３７０は、図３８に示すように、画像Ｇ１１をパネル１１の表示部３１０に表示したものとして説明する。なお図３８に示されるように、Ｖ字配置の場合、パネル１１がユーザーに対して４５度傾く。そのため制御部３７０は、表示する画像を４５度回転させて、表示部３１０に表示する。
【０１８６】
なおＶ字配置において、ユーザーから３本指でのピンチアウトの入力がされたことを操作検出部３３０が検出したことに応じて、制御部３７０は、表示されている画像（この場合、画像Ｇ１１）をパネル１１とパネル１２とパネル１３とが備えている表示部の全体にわたって、拡大して表示する。またＶ字配置において、ユーザーから３本指でピンチインの入力がされたことを操作検出部３３０が検出したことに応じて、制御部３７０は、３本指でのピンチアウトにより全体にわたって表示されている画像を、ピンチアウトする前の表示状態に戻す。このように、複数の画面を用いて画像を拡大して表示すことが可能なので、ユーザーは、画像を確認しやすくなる。
【０１８７】
まず、制御部３７０は、パネル１１が備えている操作検出部３３０が、ユーザーの操作によるフリックの入力を検出したか否かを判定する（図４２のステップＳ１０１）。ステップＳ１０１において、フリックの入力を検出していないと判定された場合、制御部３７０は、ステップＳ１０１の判定処理を繰り返す。一方、ステップＳ１０１において、フリックの入力を検出したと判定された場合、制御部３７０は、その検出されたフリックが何れの方向へのフリックであるかに応じて、次に示す各処理を実行する。
【０１８８】
図３８の表示状態において、パネル１１が備えている操作検出部３３０が、ユーザーの操作によるフリックＤ１がパネル１１において入力されたことを、検出したとする。制御部３７０は、このフリックＤ１の検出（図４２のステップＳ１０２）に応じて、パネル１１の表示部３１０に表示している画像を、画像の順序において次の画像（この場合、画像Ｇ１２）に変更する（図４２のステップＳ１０３）。これによりパネル１１の表示部３１０には、画像Ｇ１２が表示される。
【０１８９】
また、図３８の表示状態において、パネル１１が備えている操作検出部３３０が、ユーザーの操作によるフリックＤ２がパネル１１において入力されたことを、検出したとする。制御部３７０は、このフリックＤ２の検出（図４２のステップＳ１０４）に応じて、パネル１１の表示部３１０に表示している画像を、画像の順序において前の画像（この場合、画像Ｇ１０）に変更する（図４２のステップＳ１０５）。これによりパネル１１の表示部３１０には、画像Ｇ１０が表示される。
【０１９０】
このように、ユーザーはパネル１１の表示部３１０に対して、フリックＤ１またはフリックＤ２の操作入力をすることにより、複数の画像のそれぞれを表示部３１０に順に表示させて、見たり確認したりすることができる。
【０１９１】
一方、図３８の表示状態において、パネル１１が備えている操作検出部３３０が、ユーザーの操作によるフリックＤ４がパネル１１において入力されたことを、検出したとする。制御部３７０は、このフリックＤ４の検出（図４２のステップＳ１０８）に応じて、パネル１１の表示部３１０に表示している画像（この場合、画像Ｇ１１）に対して、パネル１３に関連付けられている属性情報である「お気に入り」という属性情報を付加する。また制御部３７０は、パネル１１の表示部３１０に表示している画像（この場合、画像Ｇ１１）を、パネル１３の表示部３１０に表示させる（図４２のステップＳ１０９）。
【０１９２】
すなわち、図３９に示すように、フリックＤ４がパネル１１において入力されたことに応じて、制御部３７０は、パネル１１の表示部３１０に表示している画像（この場合、画像Ｇ１１）に対して「お気に入り」という属性情報を付加するとともに、この画像の表示位置をパネル１３の表示部３１０に変更する。さらに制御部３７０は、パネル１１の表示部３１０に表示している画像を、画像の順序において次の画像（画像Ｇ１２）に変更する。
【０１９３】
これにより、図４０に示すように、パネル１３の表示部３１０には画像Ｇ１１が表示され、パネル１１の表示部３１０には画像Ｇ１２が表示される。また、この画像Ｇ１１には、パネル１３に対応する「お気に入り」という属性情報が付加されている。
【０１９４】
また、図３８の表示状態において、パネル１１が備えている操作検出部３３０が、ユーザーの操作によるフリックＤ３がパネル１１において入力されたことを、検出したとする。制御部３７０は、このフリックＤ３の検出（図４２のステップＳ１０６）に応じて、パネル１１の表示部３１０に表示している画像（この場合、画像Ｇ１１）に対して、パネル１２に関連付けられている属性情報である「ゴミ」という属性情報を付加する。また制御部３７０は、パネル１１の表示部３１０に表示している画像（この場合、画像Ｇ１１）を、パネル１２の表示部３１０に表示させる（図４２のステップＳ１０７）。
【０１９５】
すなわち、フリックＤ３がパネル１１において入力されたことに応じて、制御部３７０は、パネル１１の表示部３１０に表示している画像（この場合、画像Ｇ１１）に対して「ゴミ」という属性情報を付加するとともに、この画像の表示位置をパネル１２の表示部３１０に変更する。さらに制御部３７０は、パネル１１の表示部３１０に表示している画像を、画像の順序において次の画像（画像Ｇ１２）に変更する。
【０１９６】
これにより、図４１に示すように、パネル１２の表示部３１０には画像Ｇ１１が表示され、パネル１１の表示部３１０には画像Ｇ１２が表示される。また、この画像Ｇ１１には、パネル１２に対応する「ゴミ」という属性情報が付加されている。
【０１９７】
なお、図３８の表示状態において、パネル１１が備えている操作検出部３３０が、フリックＤ１、Ｄ２、Ｄ３、Ｄ４以外のフリック（その他のフリック）がパネル１１において入力されたことを、検出したとする。この場合、制御部３７０は、その他のフリックの検出（図４２のステップＳ１１０）に応じて、無効な操作が入力されたと判定して、上述の分類モードの処理をせずに、ステップＳ１０１の判定処理を繰り返す。
【０１９８】
このように、制御部３７０は、操作検出部３３０により検出された操作に基づいて、パネル１１（第１のパネル）からパネル１２（第２のパネル）へ向かう操作（例えば、フリックＤ３）を検出した場合、パネル１１が備える表示部３１０に表示されたオブジェクト（例えば、画像Ｇ１１）に対して、パネル１２に対応付けられている属性情報（例えば「ゴミ」）を関連付ける。
【０１９９】
また、制御部３７０は、パネル１１からパネル１２へ向かう操作（例えば、フリックＤ３）を検出した場合、パネル１１が備える表示部３１０に表示されたオブジェクト（例えば、画像Ｇ１１）の表示位置を、パネル１２が備える表示部３１０に変更するとともに、オブジェクトに対して、パネル１２に対応付けられている属性情報（例えば「ゴミ」）を関連付ける。
【０２００】
同様に、制御部３７０は、操作検出部３３０により検出された操作に基づいて、パネル１１（第１のパネル）からパネル１３へ向かう操作（例えば、フリックＤ４）を検出した場合、パネル１１が備える表示部３１０に表示されたオブジェクト（例えば、画像Ｇ１１）に対して、パネル１３に対応付けられている属性情報（例えば「お気に入り」）を関連付ける。
【０２０１】
また、制御部３７０は、パネル１１からパネル１３へ向かう操作（例えば、フリックＤ４）を検出した場合、パネル１１が備える表示部３１０に表示されたオブジェクト（例えば、画像Ｇ１１）の表示位置を、パネル１３が備える表示部３１０に変更するとともに、オブジェクトに対して、パネル１３に対応付けられている属性情報（例えば「お気に入り」）を関連付ける。
【０２０２】
これにより、電子機器１００は、ユーザーからフリックによる操作が入力されたことに応じて、画像に対して「ゴミ」または「お気に入り」という属性情報を付加するとともに、属性情報を付加した画像の表示位置を、「ゴミ」という属性情報に対応するパネル１２が備える表示部３１０、および「お気に入り」という属性情報に対応するパネル１３が備える表示部３１０のうちの対応する表示部３１０に変更して分類することができる。よって、ユーザーは、画像を順に確認しながらフリックという直感的な操作をすることにより、画像を分類することができる。
【０２０３】
次に、図４３のフローチャート、および図４４から図４７の説明図を参照して、パネルをティルトした場合の処理について説明する。
ここで、図４０に示すように、パネル１３の表示部３１０(表示面１３ａ)には画像Ｇ１１が表示され、パネル１１の表示部３１０(表示面１１ａ)には画像Ｇ１２が表示されている状態とする。また、この画像Ｇ１１には、パネル１３に対応する「お気に入り」という属性情報が付加されているものとする。
【０２０４】
まず、ユーザーが、図４４に示すようにパネル１３の表示面１３ａを、パネル１１の表示面１１ａの方へ、ティルトするティルト操作をしたとする。制御部３７０は、ヒンジセンサ部３４０（角度検出部）により検出されたパネル１１とパネル１３との角度に基づいて、パネル１３のパネル１１に対するティルト操作を検出したか否かを判定する（図４３のステップＳ２０１）。ステップＳ２０１において、パネル１３のパネル１１に対するティルト操作を検出した（ティルト検出あり）と判定された場合、制御部３７０は、図４５に示すように、パネル１３の表示部３１０に表示している画像（この場合、画像Ｇ１１）の表示位置を、パネル１３の表示部３１０上（表示面１３ａ上）からパネル１１の表示部３１０上（表示面１１ａ上）に変更する（図４３のステップＳ２０２）。
【０２０５】
一方、ステップＳ２０１において、パネル１３のパネル１１に対するティルト操作を検出していない（ティルト検出なし）と判定された場合（すなわち、ユーザーがパネル１３をティルト操作していない場合）、制御部３７０は、ヒンジセンサ部３４０の検出結果に基づいて、パネル１２のパネル１１に対するティルト操作を検出したか否かを判定する（図４３のステップＳ２０３）。
【０２０６】
ここで、ユーザーが、図４６に示すようにパネル１２の表示面１２ａを、パネル１１の表示面１１ａの方へ、ティルトするティルト操作をしたとする。ステップＳ２０３において、パネル１２のパネル１１に対するティルト操作を検出した（ティルト検出あり）と判定された場合、制御部３７０は、図４７に示すように、パネル１２の表示部３１０に表示している画像（この場合、画像Ｇ１１）の表示位置を、パネル１２の表示部３１０上からパネル１１の表示部３１０上（表示面１１ａ上）に変更する（図４３のステップＳ２０４）。
【０２０７】
このように、制御部３７０は、ヒンジセンサ部３４０により検出されたパネル１１（第１のパネル）とパネル１２（第２のパネル）との角度に基づいて、パネル１２のパネル１１に対するティルト操作が検出された場合、パネル１２が備える表示部３１０に表示されたオブジェクト（例えば、画像Ｇ１１）の表示位置を、パネル１１が備える表示部３１０に変更する。
【０２０８】
また、制御部３７０は、ヒンジセンサ部３４０により検出されたパネル１１とパネル１３との角度に基づいて、パネル１３のパネル１１に対するティルト操作が検出された場合、パネル１３が備える表示部３１０に表示されたオブジェクト（例えば、画像Ｇ１１）の表示位置を、パネル１１が備える表示部３１０に変更する。
【０２０９】
これにより、制御部３７０は、パネルへのティルト操作に応じて、画像の表示位置を異なるパネルの表示部３１０の表示位置に変更することができる。例えば、制御部３７０は、パネル１３へのティルト操作に応じて、パネル１３の表示部３１０に表示している画像の表示位置を、パネル１１の表示部３１０上の表示位置に変更することができる。また、制御部３７０は、パネル１２へのティルト操作に応じて、パネル１２の表示部３１０に表示している画像の表示位置を、パネル１１の表示部３１０上の表示位置に変更することができる。よって、ユーザーは、パネルへのティルト操作をすることにより、表示している画像の表示位置をパネル間で変更することができる。例えば、ユーザーは、分類モードにおいて、一旦、分類することにより表示位置が変わった画像を、簡単且つ直感的な操作であるティルト操作をすることにより、元の表示位置に戻すことができる。
【０２１０】
続いて、図４８のフローチャートを参照して、上述した分類モードの処理において、フリック操作による処理からティルト操作による処理までの一連の動作の一例を説明する。ここでは、ユーザーの操作によるフリックＤ４がパネル１１に入力された後、パネル１３へのティルト操作がされた場合の処理について説明する。
【０２１１】
まず、制御部３７０は、パネル１１が備えている操作検出部３３０が、ユーザーの操作によるフリックＤ４の入力を検出したか否かを判定する（ステップＳ３０１）。ステップＳ３０１において、フリックＤ４の入力を検出していないと判定された場合、制御部３７０は、ステップＳ３０１の判定処理を繰り返す。
【０２１２】
一方、図３８の表示状態において、パネル１１が備えている操作検出部３３０が、ユーザーの操作によるフリックＤ４がパネル１１において入力されたことを、検出したとする。すなわち、ステップＳ３０１において、フリックＤ４の入力を検出したと判定された場合、制御部３７０は、このフリックＤ４の検出に応じて、パネル１１の表示部３１０に表示している画像（この場合、画像Ｇ１１）に対して、パネル１３に関連付けられている属性情報である「お気に入り」という属性情報を付加する。
【０２１３】
続いて制御部３７０は、パネル１１の表示部３１０に表示している画像（この場合、画像Ｇ１１）を、パネル１３の表示部３１０に表示させる。さらに制御部３７０は、パネル１１の表示部３１０に表示している画像を、画像の順序において次の画像（画像Ｇ１２）に変更する（ステップＳ３０２）。
【０２１４】
これにより、図４０に示すように、パネル１３の表示部３１０には画像Ｇ１１が表示され、パネル１１の表示部３１０には画像Ｇ１２が表示される。また、この画像Ｇ１１には、パネル１３に対応する「お気に入り」という属性情報が付加されている。
【０２１５】
その後、ユーザーは、図４４に示すようにパネル１３の表示面１３ａを、パネル１１の表示面１１ａの方へ、ティルトするティルト操作をしたとする。制御部３７０は、パネル１３のパネル１１に対するティルト操作を検出したか否かを判定する（ステップＳ３０３）。ステップＳ３０３において、制御部３７０は、このようなパネル１３のパネル１１に対するティルト操作を検出すると（ティルト検出あり）、パネル１３の表示部３１０に表示している画像（この場合、画像Ｇ１１）の表示位置を、パネル１３の表示部３１０上からパネル１１の表示部３１０上に変更する（ステップＳ３０４）。これにより表示状態としては図３８に示した表示状態に戻るが、画像Ｇ１１には「お気に入り」という属性情報が付加されている。なお、ステップＳ３０３において、ティルト操作を検出していないと判定された場合、制御部３７０は、ステップＳ３０１に処理を戻し、フリックやティルト操作を検出する処理を繰り返す。
【０２１６】
このようにして、ユーザーは画像を順に見て確認しながら、画像に対して「お気に入り」という属性情報を付加することができる。また、ユーザーは、フリックとティルトという直感的な操作により、画像に対して属性情報を付加することができる。
【０２１７】
なお制御部３７０は、図４４に示すようなティルトを検出したことに応じて、パネル１３に表示している画像（この場合、画像Ｇ１１）の表示位置を、パネル１３の表示部３１０上からパネル１１の表示部３１０上に変更する場合、パネル１３の表示部３１０上からパネル１１の表示部３１０上に画像が滑り落ちてくるように、アニメーション表示をしてもよい。制御部３７０がこのような表示をすることにより、ユーザーは、更に直感的に操作をすることが可能となる。
【０２１８】
図３８の表示状態において、フリックＤ３が入力された場合も、フリックＤ４が入力された場合と同様である。なお、フリックＤ３が入力された場合は、フリックＤ４が入力された場合と対比して、制御部３７０が、パネル１１の表示部３１０に表示している画像に対して、パネル１２に関連付けられている属性情報である「ゴミ」という属性情報を付加する点が異なる。また制御部３７０が、パネル１１の表示部３１０に表示している画像（この場合、画像Ｇ１１）を、パネル１２の表示部３１０に表示させる点が異なる（図４１参照）。また、ティルト操作として、図４６に示すようにパネル１２の表示面１３ａを、パネル１１の表示面１１ａの方へ、ティルトする点が異なる。
【０２１９】
このようにして、ユーザーは画像を順に見て確認しながら、画像に対して「ゴミ」という属性情報を付加することができる。また、このようにしてユーザーは、「お気に入り」という属性情報を付加する場合も、「ゴミ」という属性情報を付加する場合も、フリックとティルトという直感的な操作により、画像に対して属性情報を付加することができる。また、パネル１１の表示部３１０に表示された画像に対して、フリックＤ３またはフリックＤ４の入力をしないことにより、ユーザーは、その画像に対して属性情報を付加しないようにすることができる。
【０２２０】
なお、ユーザーが図４４または図４６に示すティルト操作をすることなく、複数の画像に対して順にフリックＤ３またはフリックＤ４を行った場合、制御部３７０は、パネル１２の表示部３１０またはパネル１３の表示部３１０において、画像のサムネイル（またはアイコン）を表示してもよい（図４９参照）。
【０２２１】
また図４９に示す状態において、ユーザーによる図４４に示すティルト操作を制御部３７０が検出したことに応じて、制御部３７０は、パネル１３にサムネイルを表示している画像の表示位置を、パネル１３の表示部３１０上からパネル１１の表示部３１０上に変更する。同様に、図４９に示す状態において、ユーザーによる図４６に示すティルト操作を制御部３７０が検出したことに応じて、制御部３７０は、パネル１２にサムネイルを表示している画像の表示位置を、パネル１２の表示部３１０上からパネル１１の表示部３１０上に変更する。
【０２２２】
ここで、制御部３７０は、パネル１２の表示部３１０に表示されているサムネイルまたは画像に対して、ユーザーによるパネル１２からパネル１１への方向のフリック（パネル１２上におけるフリック）の入力を、受け付けることも可能である。そして、このフリックの入力を検出したことに応じて、制御部３７０は、このサムネイルまたは画像の表示位置を、パネル１２からパネル１１へ変更することも可能である。
【０２２３】
しかしながらこのようなフリックでは、１回のフリックにより１つのサムネイルまたは画像の表示位置しか変更できないことがある。そのため、図４９に示すように複数のサムネイルがパネル１２に表示されている場合、全てのサムネイルの表示位置を、パネル１２からパネル１１へ変更するには、ユーザーは、複数回のフリックをすることが必要になることがある。
【０２２４】
これに対比して、上記に図４６を用いて説明したティルト操作によれば、１回のティルト操作により、複数のサムネイルの表示位置を、パネル１２からパネル１１へ変更することができる。また上記に図４４を用いて説明したティルト操作により、パネル１３からパネル１１へ複数のサムネイルの表示位置を変更することも、図４６を用いて説明したティルト操作の場合と同様である。このように電子機器１００は、ティルトにより、フリックのみでは得られないような、ユーザーの操作性を向上させる効果を奏することができる。
【０２２５】
なおティルトにより複数のサムネイルの表示位置がパネル１１へ変更された後、制御部３７０は、パネル１２の表示部３１０およびパネル１３の表示部３１０に表示されているサムネイルに対応する画像を、パネル１１の表示部３１０上に表示する。なお制御部３７０は、複数のサムネイルに対応する画像のうちから選択した、いずれかの画像を表示する。なお制御部３７０が選択する画像は、複数のサムネイルに対応する画像のうち、順序が最も早い画像であってもよい。
【０２２６】
また、ユーザーによる図４４および図４６に示すティルト操作を制御部３７０が検出したことに応じて、制御部３７０は、図５０に示すように、サムネイルをパネル１１の表示部３１０上に表示してもよい。
【０２２７】
なお、上記に説明においては「分類モード」の配置としてＶ字配置の場合について説明したが、配置はこれに限られるものではなく、任意の配置が可能である。
【０２２８】
ここで制御部３７０によるフリックの検出方法について説明する。まず、上記に説明したように、制御部３７０は、ヒンジ位置情報と回転位置情報との組み合わせ、姿勢情報、または、ヒンジ位置情報と回転位置情報と姿勢情報との組み合わせに基づいて、パネル間の相対的な配置位置をそれぞれ検出している。
【０２２９】
このようにパネル間の相対的な配置位置をそれぞれ検出している状態において、ユーザーによるフリックの入力を、複数のパネルのうちのいずれかのパネル（パネルＡとする）に備えられている操作検出部３３０が、検出したとする。
【０２３０】
この操作検出部３３０によるフリックの検出に応じて、制御部３７０は、パネル間の相対的な配置位置と、この相対的な配置位置におけるフリックが検出されたパネルＡの配置位置と、検出したフリックの方向とに基づいて、検出されたフリックが、パネルＡから、パネルＡとは異なるいずれかのパネルの方向へのフリックであるか否かを検出する。
【０２３１】
検出されたフリックが、いずれかのパネル（パネルＢとする）の方向へのフリックであると検出した場合、制御部３７０は、パネルＡからパネルＢの方向へのフリックに応じた処理を実行する。このようなフリックとその処理の一例として、たとえば、図３６を用いて説明したフリックＤ３とフリックＤ４、およびその処理がある。
【０２３２】
一方、検出されたフリックが、いずれかのパネルの方向へのフリックではないと検出した場合、制御部３７０は、パネルＡにおいて、検出された方向へのフリックが設定されているか否かを判定する。そして検出された方向へのフリックが設定されていると判定した場合、制御部３７０は、設定されているフリックと関連付けられいてる処理を実行する。このようなフリックとその処理の一例として、たとえば、図３６を用いて説明したフリックＤ１とフリックＤ２、およびその処理がある。
【０２３３】
一方、検出された方向へのフリックが設定されていないと判定した場合、制御部３７０は、フリックに応じた処理を実行しない。このようなフリックは、図３６において、フリックＤ１、フリックＤ２、フリックＤ３またはフリックＤ４の方向とは異なる方向へのフリックである。
【０２３４】
このように、制御部３７０は、フリックのみならず、パネル間の相対的な配置位置に基づいて、フリックに対応する処理を変更している。これにより電子機器１００は、Ｖ字配置のように固定の配置において「分類モード」などの処理を実行することができるのではなく、同様の処理を、任意の配置においても実行することができる。このように、電子機器１００は、様々な配置をとることができるとともに、その配置において、フリックなどの操作により、様々な処理を実行することができる。
【０２３５】
なお上記に説明した「分類モード」としては、電子機器１００を用いてユーザーが、オブジェクトの一例である画像に対して分類する場合について説明した。しかしながら分類対象となるオブジェクトは画像に限られるものではなく、分類対象となるオブジェクトは、音楽形式のファイルや、動画形式のファイルや、テキスト形式のファイルや、表形式のファイルや、メール形式のデータであってもよい。
【０２３６】
また、分類先の個数として３つの場合を例として説明したが、分類先の個数は３つに限られるものではなく、電子機器１００が備えているパネルの個数に応じて分類先を増加させてもよい。またパネルの個数に応じて、検出対象となるフリックの個数を増加させてもよい。例えば、図３６から図５０を用いて、電子機器１００が備えているパネル（表示部）の個数が３つの場合の「分類モード」について説明したが、これに限られるものではなく、パネル（表示部）の個数は、２つ、または４つ以上の複数個であってもよい。そして、分類先の個数または検出対象となるフリックの個数は、パネル（表示部）の個数に応じて、２つ、または４つ以上の複数個であってもよい。
【０２３７】
なお、制御部３７０は、ヒンジセンサ部３４０により検出された角度に基づいて、パネル１２（第２のパネル）のパネル１１（第１パネル）に対するティルト操作が検出された場合、パネル１２が備える表示部３１０に表示されたオブジェクトに対して、パネル１１に対応付けられている属性情報を関連付けてもよい。また、同様に、制御部３７０は、ヒンジセンサ部３４０により検出された角度に基づいて、パネル１３のパネル１１に対するティルト操作が検出された場合、パネル１３が備える表示部３１０に表示されたオブジェクトに対して、パネル１１に対応付けられている属性情報を関連付けてもよい。
【０２３８】
例えば、制御部３７０は、次のようにして分類を実行してもよい。制御部３７０は、パネル１３とパネル１２との表示面に、画像を１枚ずつ適切なタイミングで切り替えて表示する。ユーザーはその画像が良い（すなわち「お気に入り」な画像である）と判断したら、表示中にデバイスを持ち上げヒンジを曲げる（図４４に示すティルトまたは図４６に示すティルトを実行する）。このティルトの入力に応じて、制御部３７０は、その画像をパネル１１へにすべり落とすようなアニメーション表示をする。このような処理を、制御部３７０は、パネル１３とパネル１２との表示面において、同時並行的に行う。これにより、ユーザーは、２つの表示面を用いて、並列に画像の分類をすることができる。なお、最終的にパネル１１にお気に入りの画像が集められることになる。すなわち、パネル１１には「お気に入り」という属性情報が対応付けられており、制御部３７０は、パネル１２またはパネル１３のパネル１１に対するティルト操作が検出された場合、パネル１２またはパネル１３が備える表示部３１０に表示された画像に「お気に入り」という属性情報を関連付けるとともに、その画像の表示位置をパネル１１が備える表示部３１０に変更する。そして、ユーザーから３本指でピンチインの入力がされたことを、操作検出部３３０が検出することに応じて、制御部３７０は、画像を全画面表示（全てのパネルの表示部にわたって表示）する。これによりユーザーがお気に入りの画像を分類するとともに、お気に入りの画像のみを全体表示して見ることができる。
【０２３９】
以上説明したように、３つの表示部３１０を備えた電子機器１００は、表示部３１０の表示面に設けられたタッチパネルに対するフリック、またはパネルのティルトといったユーザーの直感的な操作に応じて、表示部３１０に表示したオブジェクトに対して属性情報を付加するとともに、表示する表示部３１０を変更することができる。すなわち、電子機器１００は、ユーザーの直感的な操作に応じて、表示部３１０に表示したオブジェクトを分類することができる。よって、電子機器１００は、複数の表示面（ディスプレイ）を有効に活用した制御をすることができる。
【０２４０】
＜立体視表示＞
次に、図５１から図６４を用いて、立体視表示について説明する。まず図５１を用いて立体視について説明する。一例として、立方体の１つの頂点に空けられている穴Ｈから、立方体の中を覗き込むようにして見ることにより、ユーザーは立体視できることがある。
【０２４１】
ここでいう立体視とは、例えば、立方体の内側の複数の面を表示面として立体的に構成された表示面に画像が表示された場合に、その立体的に表示された画像が、平面の表示面に画像が表示された場合と同様に違和感なく見えるようなことをいう。ユーザーは、穴Ｈから立方体の中を覗き込むようにして見ることにより、立体的に表示された画像を平面の表示面に画像が表示された場合と同様に違和感なく見ることができる。また、ユーザーは、立体的に表示された画像を、奥行きが感じられるような画像として見ることができる場合もある。
【０２４２】
図５１（ａ）に示すように、ユーザーが覗き込む立方体の上面が面Ｄ、右面が面Ｆ、左面が面Ｅとする。図５１（ｂ）は、図５１（ａ）の左面となる面Ｅから見た図である。
【０２４３】
電子機器１００の配置を、このような立方体に対応するように、図５２に示すような配置にする。この配置は、図１４を用いて説明した配置と同じである。なお、この場合、図５１（ａ）において、面Ｅに対向する面がパネル１３であり、面Ｆに対向する面がパネル１２であり、面Ｄに対向する面がパネル１１である。すなわち、電子機器１００の３つの表示部３１０は、それぞれ互いの表示面が直交するように、且つ同じ方向からそれぞれの表示面が見えるように配置されている。
【０２４４】
まず、図５２に示すように三面直交配置された表示面１１ａ、表示面１２ａ、および表示面１３ａのそれぞれに表示する画像を、画像（平面の画像）から切り出す際のそれぞれの画像切り出し領域（画像切り出しパターン）について説明する。
【０２４５】
画像切り出しパターンは、以下のようにして定められる。
ここで、図５２に示す表示面の配置において、表示面１１ａ、表示面１２ａ、および表示面１３ａのそれぞれの角の位置を、図５３に示すようにそれぞれ点Ｋ１から点Ｋ７とする。
【０２４６】
図５４（ａ）は、図５３に示す配置の電子機器１００を、左（紙面上の左）横から見た図である。また、図５４（ａ）は、この図５３に示す配置の各表示面に対して、図５１に示す穴Ｈの位置と点Ｋ２とを結ぶ直線（表示面１１ａに対して平行な直線）の延長線上の位置であって、点Ｋ２の位置に対して穴Ｈの位置よりも離れた位置（第１の位置）から、カメラ８００が撮影している様子を示している。すなわち、このカメラ８００が撮影する位置（第１の位置）は、電子機器１００の３つの表示部３１０の表示面１１ａ、表示面１２ａ、および表示面１３ａそれぞれに表示された画像をユーザーが見る位置に基づいて定められる位置であって、電子機器１００に対してユーザーが覗く穴Ｈの位置がある方向と同じ方向の位置である。
【０２４７】
また、この図において、カメラ８００は、焦点距離に応じて定まる撮影領域のうち、水平方向および垂直方向ともに中央となる位置に点Ｋ２が撮影され、且つ垂直方向が下端であって水平方向が中央である位置に点Ｋ７が撮影されるような焦点距離の位置から撮影している。例えば、図５４（ａ）において、カメラ８００は焦点距離８５ｍｍで電子機器１００を撮影している。
【０２４８】
図５４（ｂ）は、図５４（ａ）に示す位置からカメラ８００が電子機器１００を撮影した場合の撮影領域における、３つの表示部３１０の表示面１１ａ、表示面１２ａ、および表示面１３ａそれぞれの表示領域の一例を示している。つまり、この図５４（ｂ）は、例えば、カメラ８００の位置と点Ｋ２とを結ぶ直線に対して直交する面Ｍ１に対して、点Ｋ１から点Ｋ７の７つの点それぞれの位置を、カメラ８００の位置および画角（焦点距離に応じた画角）に応じて投影した場合の位置によって示されるそれぞれの表示面の表示領域を示している。すなわち、この図は、カメラ８００の視点Ｊ１と、点Ｋ１から点Ｋ７の７つの点それぞれと、を結ぶ線を延長した線が、面Ｍ１に交差する位置によって示されるそれぞれの表示面の表示領域を示している。
【０２４９】
図５４（ｂ）において、表示面１１ａの表示領域は、点Ｋ４、点Ｋ５、点Ｋ６、および点Ｋ７を頂点とした四角形により囲まれる領域である。また、表示面１２ａの表示領域は、点Ｋ１、点Ｋ２、点Ｋ５、および点Ｋ４を頂点とした四角形により囲まれる領域である。また、表示面１３ａの表示領域は、点Ｋ２、点Ｋ３、点Ｋ６、および点Ｋ５を頂点とした四角形により囲まれる領域である。
【０２５０】
ここで、撮影された画像の画像領域（撮影領域）のうち、図５４（ｂ）に示すそれぞれの表示面の表示領域に対応する画像領域の画像がそれぞれの表示面に表示されていれるとする。その場合、ユーザーは、図５１（ｂ）に示す穴Ｈの位置から電子機器１００の３つの表示面に表示された画像を見た場合に、撮影された画像が表示されている１つの平面の表示面がそこにあるかのように違和感なく見ることができる。
【０２５１】
つまり、電子機器１００は、撮影領域のうち、図５４（ｂ）に示す表示面１１ａ、表示面１２ａ、および表示面１３ａそれぞれの表示領域に対応する画像領域を、画像切り出し領域（画像切り出しパターン）として画像を切り出す。そして、電子機器１００は、画像切り出しパターンに基づいて切り出したそれぞれの画像領域の画像を、対応するそれぞれの表示面に表示する。なお、詳しくは後述するが、電子機器１００は、切り出したそれぞれの画像領域の画像に対して表示領域に応じて変換した画像を、対応するそれぞれの表示面に表示する。これにより、電子機器１００は、３つの表示面が三面直交配置されたそれぞれの表示部３１０に対して、ユーザーに違和感なく見えるように画像（平面画像）を表示することができる。
【０２５２】
なお、上述した画像切り出しパターンは、焦点距離に応じて異なるパターンになる。図５５は、図５４に示す焦点距離（例えば８５ｍｍ）の例よりも長い焦点距離（例えば１０５ｍｍ）の場合の一例を示す図である。
【０２５３】
図５５（ａ）に示す位置（すなわち図５４（ａ）に示す位置より焦点距離が長い位置）からカメラ８００が電子機器１００を撮影した場合の３つの表示部３１０の表示面１１ａ、表示面１２ａ、および表示面１３ａそれぞれの表示領域は、図５５（ｂ）に示すそれぞれの領域のようになる。例えば、焦点距離１０５ｍｍの場合、撮影領域におけるそれぞれの表示面の表示領域は、焦点距離８５ｍｍの場合に対比して、画角が狭いことにより垂直方向に潰れたような領域（圧縮された領域）になる。特に、３つの表示面の表示領域のうち表示面１１ａの表示領域（点Ｋ４、点Ｋ５、点Ｋ６、および点Ｋ７を頂点とした四角形により囲まれる領域）は、焦点距離８５ｍｍの場合に対比して、画角の違いによって生じる圧縮効果の影響が最も大きいため、最も小さい領域になる。
【０２５４】
このように、撮影された画像の画像領域（撮影領域）におけるそれぞれの表示面の表示領域は、焦点距離に応じて異なる。すなわち、それぞれの表示面の表示領域に対応する画像切り出しパターンは、焦点距離に応じて異なるパターンとして定められる。
【０２５５】
なお、図５３から図５４を用いて説明した画像切り出しパターンは、それぞれの焦点距離の位置から電子機器１００を実際に撮影した場合の撮影画像から、点Ｋ１から点Ｋ７の各点の位置を検出することにより予め定められてもよいし、それぞれの焦点距離の位置から電子機器１００を撮影した場合の焦点距離（画角）に基づいて、点Ｋ１から点Ｋ７の各点の位置を算出することにより予め定められてもよい。
【０２５６】
次に、電子機器１００が、図５３から図５５を用いて説明した画像切り出しパターンに基づいて切り出した画像それぞれを、対応する３つのパネル１３、パネル１２、およびパネル１１それぞれの表示面上に表示する処理について説明する。
【０２５７】
まず、図５６から図５９を用いて、制御部３７０が、パネル１３、パネル１２、およびパネル１１に、立体視できるような画像を表示する方法について説明する。なお、画像は、画像が撮像された場合の焦点を示す焦点情報と関連付けられて、記憶部３９０に記憶されているとして説明する。この焦点情報は、画像ファイルのＥｘｉｆ情報として、画像と一体として記憶部３９０に記憶されていてもよい。ここで、焦点情報とは、例えば焦点距離を示す情報である。
【０２５８】
また、この記憶部３９０には、焦点情報と関連付けて、画像切り出しパターンが記憶されている。この画像切り出しパターンは、上述の図５３から図５５を用いて説明した画像切り出しパターンであって、具体的には、後述する図５６または図６０により示されるようなパターンのことである。
【０２５９】
なお、図５４（ｂ）または図５５（ｂ）の点Ｋ１から点Ｋ７により示されるそれぞれの表示面の表示領域と、図５６または図６０の頂点Ｐ１から頂点Ｐ７により示されるそれぞれの画像領域（画像切り出しパターン）とが対応している。すなわち、図５４（ｂ）または図５５（ｂ）の点Ｋ１から点Ｋ７により示されるそれぞれの表示面の表示領域に対応する画像領域が、図５６または図６０の頂点Ｐ１から頂点Ｐ７により示されるそれぞれの画像領域（画像切り出しパターン）である。
【０２６０】
制御部３７０は、記憶部３９０から表示対象となる画像を記憶部３９０から読み出すとともに、この画像に関連付けられている焦点情報を記憶部３９０から読み出す。次に、制御部３７０は、読み出した焦点情報と関連付けられている画像切り出しパターンを記憶部３９０から読み出す。
【０２６１】
次に制御部３７０は、読み出した画像切り出しパターンに基づいて、画像から、３つのパネルに表示する画像領域を切り出す。一例として、焦点情報により示される焦点距離が８５ｍｍの場合、図５６に示すように、制御部３７０は、画像から、頂点Ｐ２と頂点Ｐ３と頂点Ｐ６と頂点Ｐ５とにより示される第１画像領域と、頂点Ｐ１と頂点Ｐ２と頂点Ｐ５と頂点Ｐ４とにより示される第２画像領域と、頂点Ｐ４と頂点Ｐ５と頂点Ｐ６と頂点Ｐ７とにより示される第３画像領域とを切り出す。
【０２６２】
次に制御部３７０は、図５７（ａ）に示すように、第１画像領域の画像の頂点Ｐ６の位置が、パネル１３の表示領域に対応させて、正方形の頂点Ｐ６’の位置になるように、第１画像領域の画像を変換する。また制御部３７０は、頂点Ｐ６と同様に、第１画像領域の画像の頂点Ｐ５の位置が、パネル１３の表示領域に対応させて、正方形の頂点Ｐ５’の位置になるように、第１画像領域の画像を変換する。例えば、制御部３７０は、第１画像領域の画像の頂点Ｐ６とＰ５の位置が、それぞれ正方形の頂点Ｐ６’とＰ５’の位置になるように、第１画像領域の画像を引き伸ばして変形させる射影変換をする。このようにして、制御部３７０は、第１画像領域の画像を、パネル１３の表示領域にあわせて変換する。その後、制御部３７０は、変換した第１画像領域の画像（図５７（ｂ）参照）を、パネル１３の表示部３１０に表示する。
【０２６３】
次に制御部３７０は、図５７に示した第１画像領域の画像の場合と同様に、図５８に示すように、第２画像領域の画像を、パネル１２の表示領域にあわせて変換する（図５８（ａ）参照）。その後、制御部３７０は、変換した第２画像領域の画像（図５８（ｂ）参照）を、パネル１２の表示部３１０に表示する。
【０２６４】
次に制御部３７０は、図５７に示した第１画像領域の画像の場合、または、図５８に示した第２画像領域の画像の場合と同様に、図５９（ａ）に示すように、第３画像領域の画像を、パネル１１の表示領域にあわせて変換する。その後、制御部３７０は、変換した第３画像領域の画像（図５９（ｂ）参照）を、パネル１１の表示部３１０に表示する。
【０２６５】
なお、図５６から図５９を用いて説明した画像切り出しパターンと、切り出した画像の変換方法とは、焦点距離が８５ｍｍの場合であったが、この画像切り出しパターンと、切り出した画像の変換方法とは、前述したように焦点距離により異なる。
たとえば図６０に、焦点距離が８５ｍｍの場合における画像切り出しパターンと、焦点距離が１０５ｍｍの場合における画像切り出しパターンとを対比して示す。図６０に示されている焦点距離が８５ｍｍの場合における画像切り出しパターンは、図５６に示した画像切り出しパターンと同じである。
【０２６６】
焦点距離が１０５ｍｍの場合における画像切り出しパターンの場合は、焦点距離が８５ｍｍの場合における画像切り出しパターンと対比して、頂点Ｐ１とＰ２とＰ３とはほぼ同じであるものの、頂点Ｐ４は頂点Ｐ４’’に、頂点Ｐ５は頂点Ｐ５’’に、頂点Ｐ６は頂点Ｐ６’’に、頂点Ｐ７は頂点Ｐ７’’に、それぞれ位置が変更されている。このように焦点距離に応じて、切り出しパターンは異なる。
【０２６７】
ここで、通常、箱の中に単に画像を貼付けただけの場合は、パースがつくため、面と面のつながり部分に不自然な連続が発生することがある。たとえば、立方体の展開図をつくり、その上になめらかな線を描いたとする。しかしながら、描いたなめらかな線を、立方体を再度組み立てて見たとすると、その線には、立方体の面の変わり目で、不連続な折れが生じてしまうことがある。
【０２６８】
これに対して、制御部３７０が、上記に図５７と図５８と図５９とを用いて説明した変形を行う事により、電子機器１００は、このような問題による影響を低減して、例えば箱の中に画像を表示することができる。
【０２６９】
また、表示する画像を撮影した時のレンズ情報（焦点距離情報、焦点情報）に応じて、図６０を用いて説明したように、切り出す画像領域を変更する。これにより、画像を撮像したときのレンズの焦点距離が様々に異なる場合であっても、電子機器１００は、適切に画像を表示することができる。よって、ユーザーは、画像を撮像したときのレンズの焦点距離が様々に異なる場合であっても、その画像を適切な状態で電子機器１００により見ることができる。
【０２７０】
次に、図６１を参照して、図５１から図６０を用いて説明した表示処理を制御する制御部３７０の構成について詳しく説明する。図６１は、制御部３７０の構成の一例を示す概略ブロック図である。
【０２７１】
制御部３７０は、切り出し部３７５と、変換部３７６と、を備えている。切り出し部３７５は、焦点距離を示す情報（焦点情報）と関連付けられている画像から、焦点情報に応じて定まるパネル１１、パネル１２、およびパネル１３の表示部３１０それぞれの表示領域に対応する画像領域に基づいて、表示部３１０それぞれに対応する画像領域の画像を切り出す。例えば、切り出し部３７５は、図５３から図５５を用いて説明したように、電子機器１００の３つの表示部３１０を第１の位置から撮影した場合の焦点情報に応じて定まる各パネルの表示部３１０それぞれの表示領域に対応する画像領域（上述した第１、第２、第３画像領域）に基づいて、焦点情報と関連付けられている画像から、表示部３１０それぞれに対応する画像領域の画像を切り出す。
【０２７２】
具体的には、前述したように記憶部３９０には、焦点情報に応じて定まるそれぞれの表示部３１０の表示領域に対応する画像領域が、表示部３１０のそれぞれに表示する画像領域の切り出し領域（画像切り出しパターン）として、焦点情報に関連付けて記憶されている。そして、切り出し部３７５は、焦点情報と関連付けられている画像から、焦点情報に応じて記憶部３９０から読み出した画像切り出しパターンに基づいて、複数の表示部３１０それぞれに対応する画像領域の画像を切り出す。
【０２７３】
変換部３７６は、切り出し部３７５が切り出したそれぞれの画像領域の画像を、対応する表示部３１０の表示領域に応じてそれぞれ変換する。例えば、変換部３７６は、図５７から図５９を用いて説明したように、切り出し部３７５が切り出した第１画像領域の画像、第２画像領域の画像、第３画像領域の画像を、それぞれ対応する（表示する）表示部３１０の表示領域にあわせて変換する。
【０２７４】
具体的には、例えば変換部３７６は、図５７に示すように、頂点Ｐ２と頂点Ｐ３と頂点Ｐ６と頂点Ｐ５とを結ぶ四角形の第１画像領域の画像を、頂点Ｐ２と頂点Ｐ３と頂点Ｐ６’と頂点Ｐ５’とを結ぶ四角形の画像領域の画像になるように全体を引き伸ばして変形させる射影変換をする。また、変換部３７６は、図５８に示すように、頂点Ｐ１と頂点Ｐ２と頂点Ｐ５と頂点Ｐ４とを結ぶ四角形の第２画像領域の画像を、頂点Ｐ２と頂点Ｐ３と頂点Ｐ５’と頂点Ｐ６’とを結ぶ四角形の画像領域の画像になるように全体を引き伸ばして変形させる射影変換をする。また、変換部３７６は、図５９に示すように、頂点Ｐ４と頂点Ｐ５と頂点Ｐ６と頂点Ｐ７とを結ぶ四角形の第３画像領域の画像を、頂点Ｐ４’と頂点Ｐ５と頂点Ｐ６’と頂点Ｐ７とを結ぶ四角形の画像領域の画像になるように全体を引き伸ばして変形させる射影変換をする。
【０２７５】
そして、制御部３７０は、変換部３７６が変換したそれぞれの画像を、対応するそれぞれの表示部３１０に対して、表示制御部３２０を介して表示する。
【０２７６】
このように、切り出し部３７５は、焦点距離を示す焦点情報と関連付けられている画像から、その焦点情報に応じて定まる表示部３１０それぞれの表示領域に対応する画像領域（画像切り出しパターン）に基づいて、表示部３１０それぞれに対応する画像領域の画像を切り出す。次に、変換部３７６は、切り出し部３７５が切り出したそれぞれの画像領域の画像を、対応する表示部３１０の表示領域に応じてそれぞれ変換する。そして、制御部３７０は、変換部３７６が変換したそれぞれの画像を、対応するそれぞれの表示部３１０に表示する。
【０２７７】
これにより、電子機器１００は、三面直交配置しているパネル１１、パネル１２、およびパネル１３のそれぞれの表示部３１０に、図５１に示す穴Ｈの位置から見た場合に立体視可能なように（違和感なく見えるように）画像を表示することができる。例えば、電子機器１００は、穴Ｈの位置から見た場合に、平面の表示面に画像が表示された場合と同様に違和感なく見えるように、三面直交配置しているパネル１１、パネル１２、およびパネル１３のそれぞれの表示部３１０に画像を表示することができる。
【０２７８】
また、電子機器１００は、画像が撮影されたときの焦点距離に応じた適切な画像切り出しパターンに基づいて画像を切り出して表示することができる。つまり、電子機器１００は、焦点距離に応じて圧縮効果が異なる画像に対して、それぞれの圧縮効果に応じた適切な画像切り出しパターンに基づいて画像を切り出して表示することができる。よって、画像を撮影したときのレンズの焦点距離が様々に異なる場合であっても、電子機器１００は、適切に画像を表示することができる。このように、電子機器１００は、複数の表示部３１０（ディスプレイ）を有効に活用した制御をすることができる。
【０２７９】
図６２から図６６は、立体視表示の具体例を示す図である。切り出し部３７５は、図６２に示す画像（平面画像）から、頂点Ｐ２と頂点Ｐ３と頂点Ｐ６と頂点Ｐ５とにより示される第１画像領域と、頂点Ｐ１と頂点Ｐ２と頂点Ｐ５と頂点Ｐ４とにより示される第２画像領域と、頂点Ｐ４と頂点Ｐ５と頂点Ｐ６と頂点Ｐ７とにより示される第３画像領域とを切り出す。
【０２８０】
次に、変換部３７６は、図６３に示すように、第１画像領域の画像の頂点Ｐ６とＰ５の位置が、それぞれ正方形の頂点Ｐ６’とＰ５’の位置になるように、第１画像領域を変換する。また、変換部３７６は、図６４に示すように、第２画像領域の画像の頂点Ｐ５とＰ４の位置が、それぞれ正方形の頂点Ｐ５’とＰ４’の位置になるように、第２画像領域を変換する。また、変換部３７６は、図６５に示すように、第３画像領域の画像の頂点Ｐ４とＰ６の位置が、それぞれ正方形の頂点Ｐ４’とＰ６’の位置になるように、第３画像領域を変換する。
【０２８１】
そして、制御部３７０は、変換部３７６が変換した画像それぞれを、図６６（ａ）に示すように、対応する表示部３１０（表示面１１ａ、表示面１２ａ、表示面１３ａ）に表示する。なお図６６（ａ）は、電子機器１００に対して、図５１に示す穴Ｈの位置に相当する位置よりも離れた位置から、電子機器１００を見た場合の表示のイメージを示している。これに対して、図６６（ｂ）は、穴Ｈの位置に相当する位置から電子機器１００に表示された画像を見た場合のイメージを示している。この図６６（ｂ）に示すように、電子機器１００は、ユーザが穴Ｈの位置に相当する位置から違和感なく見えるように、切り出して変換した画像を表示することができる。すなわち、電子機器１００は、図６２に示す画像を、立体的に三面直交配置したパネルのそれぞれの表示部３１０に対して、１つの表示面に画像が表示されているかのように表示（立体視表示）することができる。
【０２８２】
なお、制御部３７０は、パネル１１と、パネル１２と、パネル１３とが図５３に示すように三面直交配置されたことに応じて、上述した立体視表示をするように制御してもよい。すなわち、パネル１１と、パネル１２と、パネル１３それぞれの表示部３１０の表示面が、互いに直交するように且つ同じ方向からそれぞれの表示面が見えるように配置された場合、制御部３７０は、切り出し部３７５が切り出したそれぞれの画像領域の画像に対して変換部３７６が変換した画像それぞれを、対応するそれぞれの表示部３１０に表示してもよい。
【０２８３】
制御部３７０が三面直交配置されたことに応じて立体視表示をするように制御する処理の動作について、図６７を参照して具体的に説明する。
【０２８４】
ヒンジセンサ部３４０と回転機構センサ部３５０とは、パネル１１とパネル１２とパネル１３とのそれぞれ互いの相対位置をそれぞれ検出する（ステップＳ４０１）。具体的には、ヒンジセンサ部３４０は、ヒンジ部を介して接続されているパネル間の、ヒンジ部を介した相対的な位置をヒンジ位置情報として検出する。また、回転機構センサ部３５０は、回転機構を介して接続されているパネル間の、回転機構を介した相対的な位置を回転位置情報として検出する。
【０２８５】
制御部３７０は、ヒンジセンサ部３４０の検出結果と回転機構センサ部３５０の検出結果とに基づいて、パネル１１とパネル１２とパネル１３とが図５３に示すような三面直交配置されているか否かを判定する（ステップＳ４０２）。
【０２８６】
ステップＳ４０２において、三面直交配置されていると判定された場合、制御部３７０は、立体視表示をする立体視表示モードに制御する（ステップＳ４０３）。すなわち、制御部３７０は、切り出し部３７５が切り出したそれぞれの画像領域の画像に対して変換部３７６が変換した画像それぞれを、対応するそれぞれの表示部３１０に表示する。
【０２８７】
一方、ステップＳ４０２において、三面直交配置されていないと判定された場合、制御部３７０は、立体視表示モードではない通常の表示をする通常表示モードに制御する（ステップＳ４０４）。
【０２８８】
このように、電子機器１００は、パネル１１と、パネル１２と、パネル１３との配置状態を検出する。これにより、電子機器１００は、図５３に示すように三面直交配置された場合に、上述した立体視表示をすることができる。
【０２８９】
図６８は、電子機器１００に装着して使用するアクセサリ９００の一例を示す図である。アクセサリ９００は、電子機器１００に着脱可能であり、電子機器１００の３つの表示部３１０に表示された画像を見る位置を示す形状が設けられたアクセサリである。
この図６８に示すアクセサリ９００は、立方体の底面が無い形状である。アクセサリ９００の側面を面Ｅ、面Ｆ、面Ｌ、および面Ｍとし、上面を面Ｄとすると、面Ｄと面Ｅと面Ｆとによる頂点に穴Ｈが設けられている。
【０２９０】
そして、このアクセサリ９００は、電子機器１００の上から被せるように装着可能である。例えば、電子機器１００にアクセサリ９００が装着されることにより、アクセサリ９００の面Ｍおよび面Ｌの内側に電子機器１００のパネル１２およびパネル１３が対応するように配置され、電子機器１００のパネル１１が、面Ｄ、面Ｅ、面Ｆ、面Ｌ、および面Ｍにより構成される立方体の底面になるように配置される。これにより、ユーザーは、電子機器１００に表示された画像を、図５１を用いて説明したようにアクセサリ９００の穴Ｈから覗くことが可能である。よって、ユーザーは、アクセサリ９００を用いて穴Ｈから覗くことにより、電子機器１００に表示された画像を、立体視するための適切な位置（違和感なく見ることが可能な位置）から容易に見ることができる。
【０２９１】
なお、図６８を用いて、アクセサリ９００が、面Ｄ、面Ｅ、面Ｆ、面Ｌ、および面Ｍにより構成される例を示したが、面Ｄ、面Ｅ、および面Ｆのみにより構成されてもよい。また、アクセサリ９００は、面構造で構成されていなくてもよく、穴Ｈの位置を示すような骨組み構造により構成されてもよい。
【０２９２】
なお、図５１から図６６を用いて説明した立体視において、表示対象となる画像は、既に撮像されている画像として説明したが、この画像は、電子機器１００が備えるパネルに備えられているいずれかの撮像部１５０により撮像された画像であってもよい。またこの画像は、電子機器１００とは異なる撮像装置により撮像された画像であってもよい。いずれの場合も画像と、画像が撮像されたときにおける撮像条件（焦点情報）とが関連付けられてさえいればよい。また、既に撮像された画像のみならず、スルー画に対しても、制御部３７０は、図５１から図６６を用いて説明した立体視の処理を施して、表示してもよい。
【０２９３】
なお、図５１から図６６を用いて説明した立体視において、第１のヒンジ部２１、および第２のヒンジ部２２を介して連結された３枚のパネル１１〜１３が三面直交配置している電子機器１００を例に説明したが、これに限られるものではない。例えば、３枚のパネル１１〜１３が三面直交配置で固定されており、パネルそれぞれの互いの相対位置が変位しない構成であってもよい。また、表示面が配置されているパネルの数は、３枚以外の複数枚であってもよい。
【０２９４】
なお、本実施形態では３枚のパネル１１〜１３を、第１のヒンジ部２１、第２のヒンジ部２２を介して連結した構成としたが、４枚以上のパネルが連結されていてもよい。本実施形態では、第１のパネル１１と第１のヒンジ部２１とからなるユニットを、順に連結することで、任意の枚数のパネルからなる電子機器を構成することができる。
【０２９５】
また、上述の制御部３７０の機能を実現するためのプログラムをコンピュータ読み取り可能な記録媒体に記録して、この記録媒体に記録されたプログラムをコンピュータシステムに読み込ませ、実行することにより上述の制御部３７０の処理を行ってもよい。なお、ここでいう「コンピュータシステム」とは、ＯＳや周辺機器等のハードウェアを含むものとする。
【０２９６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０２９７】
以上、この発明の実施形態を図面を参照して詳述してきたが、具体的な構成はこの実施形態に限られるものではなく、この発明の要旨を逸脱しない範囲の設計等も含まれる。
【符号の説明】
【０２９８】
１１…第１のパネル、１２…第２のパネル、１３…第３のパネル、２１…第１のヒンジ部、２２…第２のヒンジ部、３１，３２…回転機構、１００…電子機器、１２１…第１の接続体、１２２…第２の接続体、１２３…第３の接続体、１２４…第４の接続体、１２５…軸部材、１２５…第１の軸部材、１２６…第２の軸部材、１２７…第３の軸部材、１３２…回転軸
【図１】
2013200852.tif 000003
【図２】
2013200852.tif 000004
【図３】
2013200852.tif 000005
【図４】
2013200852.tif 000006
【図５】
2013200852.tif 000007
【図６】
2013200852.tif 000008
【図７】
2013200852.tif 000009
【図８】
2013200852.tif 000010
【図９】
2013200852.tif 000011
【図１０】
2013200852.tif 000012
【図１１】
2013200852.tif 000013
【図１２】
2013200852.tif 000014
【図１３】
2013200852.tif 000015
【図１４】
2013200852.tif 000016
【図１５】
2013200852.tif 000017
【図１６】
2013200852.tif 000018
【図１７】
2013200852.tif 000019
【図１８】
2013200852.tif 000020
【図１９】
2013200852.tif 000021
【図２０】
2013200852.tif 000022
【図２１】
2013200852.tif 000023
【図２２】
2013200852.tif 000024
【図２３】
2013200852.tif 000025
【図２４】
2013200852.tif 000026
【図２５】
2013200852.tif 000027
【図２６】
2013200852.tif 000028
【図２７】
2013200852.tif 000029
【図２８】
2013200852.tif 000030
【図２９】
2013200852.tif 000031
【図３０】
2013200852.tif 000032
【図３１】
2013200852.tif 000033
【図３２】
2013200852.tif 000034
【図３３】
2013200852.tif 000035
【図３４】
2013200852.tif 000036
【図３５】
2013200852.tif 000037
【図３６】
2013200852.tif 000038
【図３７】
2013200852.tif 000039
【図３８】
2013200852.tif 000040
【図３９】
2013200852.tif 000041
【図４０】
2013200852.tif 000042
【図４１】
2013200852.tif 000043
【図４２】
2013200852.tif 000044
【図４３】
2013200852.tif 000045
【図４４】
2013200852.tif 000046
【図４５】
2013200852.tif 000047
【図４６】
2013200852.tif 000048
【図４７】
2013200852.tif 000049
【図４８】
2013200852.tif 000050
【図４９】
2013200852.tif 000051
【図５０】
2013200852.tif 000052
【図５１】
2013200852.tif 000053
【図５２】
2013200852.tif 000054
【図５３】
2013200852.tif 000055
【図５４】
2013200852.tif 000056
【図５５】
2013200852.tif 000057
【図５６】
2013200852.tif 000058
【図５７】
2013200852.tif 000059
【図５８】
2013200852.tif 000060
【図５９】
2013200852.tif 000061
【図６０】
2013200852.tif 000062
【図６１】
2013200852.tif 000063
【図６２】
2013200852.tif 000064
【図６３】
2013200852.tif 000065
【図６４】
2013200852.tif 000066
【図６５】
2013200852.tif 000067
【図６６】
2013200852.tif 000068
【図６７】
2013200852.tif 000069
【図６８】
2013200852.tif 000070